(57)【要約】【課題】インクジェト記録装置の縁なし記録において、記録媒体からはみ出して吐出される領域で発生するインクミストがその領域を囲むリブに付着することを抑制し、この付着したミストによる用紙などの汚れを防止する。【解決手段】キャリッジ１８０４は記録ヘッドの走査において、記録ヘッドから用紙１８０３の縁をはみ出してインクを吐出した後、通常の距離より長い距離Ｓを移動し、傾斜部１８０４ａを利用して形成される斜め上方の開放部が所定の大きさになる位置で停止する。これにより、上方が閉鎖された空間に浮遊していたミストＦは上記斜め上方の開放部を介して飛散し、リブ１８０２ｂの方向にミストが飛散しにくくなる。【選択図】　　　　図１４
2004090463.tif 000002
【特許請求の範囲】
【請求項１】
インクを吐出する記録ヘッドを用い、該記録ヘッドを記録媒体に対して走査し当該記録ヘッドから記録媒体にインクを吐出して記録を行なう装置であって、記録媒体の縁に続く領域に余白を生じさせないよう当該領域を含んで記録を行なう縁なし記録を行なうことが可能なインクジェット記録装置において、
前記記録において記録媒体を支持するための複数の支持部材と、
前記縁なし記録に際して、記録ヘッドが前記記録媒体の縁をはみ出してインクを吐出しつつ当該記録ヘッドの走査を行なうとき、前記複数の支持部材のうち、記録に用いられる一のサイズの記録媒体を支持する支持部材と、該支持部材に隣接し前記一のサイズの記録媒体を支持しない支持部材と、前記記録ヘッドの走査に伴って記録媒体上方を移動する部材とによって形成される空間が、さらなる走査によって当該空間より上の部分を介して開放されるよう、当該走査を制御する制御手段と、
を具えたことを特徴とするインクジェット記録装置。
【請求項２】
前記制御手段は、少なくとも停止のときに開放されるよう記録ヘッドの走査を制御することを特徴とする請求項１に記載のインクジェット記録装置。
【請求項３】
前記制御手段は、記録ヘッドの走査を制御して前記空間が垂直上方以外の開放部を介して開放されるようにすることを特徴とする請求項１または２に記載のインクジェット記録装置。
【請求項４】
前記記録媒体上方を移動する部材はキャリッジを含み、該キャリッジの低部が前記走査方向に面する斜面を有することによって、前記空間が垂直上方以外の開放部を介して開放されることを特徴とする請求項３に記載のインクジェット記録装置。
【請求項５】
前記制御手段は、減速開始タイミングを遅らせることにより、前記空間を開放することを特徴とする請求項１ないし４のいずれかに記載のインクジェット記録装置。
【請求項６】
前記制御手段は、減速制御に用いる減速テーブルを変更することにより、前記空間を開放することを特徴とする請求項１ないし４のいずれかに記載のインクジェット記録装置。
【請求項７】
前記制御手段は、記録に用いる記録データサイズに応じて前記空間を開放するための走査の制御を実行するか否かを定めることを特徴とする請求項１ないし６のいずれかに記載のインクジェット記録装置。
【請求項８】
前記制御手段は、記録に用いる記録媒体のサイズを検知し、サイズに応じて前記空間を開放するための走査の制御を実行するか否かを定めることを特徴とする請求項１ないし６のいずれかに記載のインクジェット記録装置。
【請求項９】
前記記録ヘッドが吐出するインク滴の吐出速度が１５ｍ／ｓであって、該インク滴の体積が４．０ｐｌであることを特徴とする請求項１ないし８のいずれかに記載のインクジェット記録装置。
【請求項１０】
前記記録ヘッドが吐出するインク滴の吐出速度が１５ｍ／ｓであって、該インク滴の体積が４．０ｐｌおよびこれより大きい体積のインク滴であり、前記制御手段は、前記より大きな体積のインク滴を吐出して記録を行うときは、前記走査の制御を実行しないことを特徴とする請求項１ないし９のいずれかに記載のインクジェット記録装置。
【請求項１１】
インクを吐出する記録ヘッドを用い、該記録ヘッドを記録媒体に対して走査し当該記録ヘッドから記録媒体にインクを吐出して記録を行なう装置であって、記録媒体の縁に続く領域に余白を生じさせないよう当該領域を含んで記録を行なう縁なし記録を行なうことが可能なインクジェット記録装置において、
記録ヘッドの走査を制御する制御手段を具え、
該制御手段は、前記縁なし記録を行なうときは、同じ記録媒体のサイズに対して該縁なし記録以外の、記録媒体の縁に続く領域を記録しないで当該領域を余白とする記録を行なうときより、記録ヘッドの走査に伴う移動距離が長い第１の距離または該第１の距離より長い第２の距離を含む移動制御を行なうことを特徴とするインクジェット記録装置。
【請求項１２】
前記制御手段は、減速開始タイミングを遅らせることにより、前記移動距離を長くするすることを特徴とする請求項１１に記載のインクジェット記録装置。
【請求項１３】
前記制御手段は、減速制御に用いる減速テーブルを変更することにより、前記移動距離を長くすることを特徴とする請求項１１に記載のインクジェット記録装置。
【請求項１４】
前記制御手段は、記録に用いる記録媒体のサイズを検知し、該サイズに応じて前記移動距離を長くするための走査の制御を実行するか否かを定めることを特徴とする請求項１１ないし１３のいずれかに記載のインクジェット記録装置。
【請求項１５】
インクを吐出する記録ヘッドを用い、該記録ヘッドを記録媒体に対して走査し当該記録ヘッドから記録媒体にインクを吐出して記録を行なう方法であって、記録媒体の縁に続く領域に余白を生じさせないよう当該領域を含んで記録を行なう縁なし記録を行なうことが可能なインクジェット記録方法において、
前記記録において記録媒体を支持するための複数の支持部材を用意し、
前記縁なし記録に際して、記録ヘッドが前記記録媒体の縁をはみ出してインクを吐出しつつ当該記録ヘッドの走査を行なうとき、前記複数の支持部材のうち、記録に用いられる一のサイズの記録媒体を支持する支持部材と、該支持部材に隣接し前記一のサイズの記録媒体を支持しない支持部材と、前記記録ヘッドの走査に伴って記録媒体上方を移動する部材とによって形成される空間が、さらなる走査によって当該空間より上の部分を介して開放されるよう、当該走査を制御する、
ステップを有したことを特徴とするインクジェット記録方法。
【請求項１６】
前記制御ステップは、少なくとも停止のときに開放されるよう記録ヘッドの走査を制御することを特徴とする請求項１５に記載のインクジェット記録方法。
【請求項１７】
前記制御ステップは、記録ヘッドの走査を制御して前記空間が垂直上方以外の開放部を介して開放されるようにすることを特徴とする請求項１５または１６に記載のインクジェット記録方法。
【請求項１８】
前記記録媒体上方を移動する部材はキャリッジを含み、該キャリッジの低部が前記走査方向に面する斜面を有することによって、前記空間が垂直上方以外の開放部を介して開放されることを特徴とする請求項１７に記載のインクジェット記録方法。
【請求項１９】
前記制御ステップは、減速開始タイミングを遅らせることにより、前記空間を開放することを特徴とする請求項１５ないし１８のいずれかに記載のインクジェット記録方法。
【請求項２０】
前記制御ステップは、減速制御に用いる減速テーブルを変更することにより、前記空間を開放することを特徴とする請求項１５ないし１８のいずれかに記載のインクジェット記録方法。
【請求項２１】
前記制御ステップは、記録に用いる記録媒体のサイズを検知し、該サイズに応じて前記空間を開放するための走査の制御を実行するか否かを定めることを特徴とする請求項１５ないし２０のいずれかに記載のインクジェット記録方法。
【請求項２２】
インクを吐出する記録ヘッドを用い、該記録ヘッドを記録媒体に対して走査し当該記録ヘッドから記録媒体にインクを吐出して記録を行なう方法であって、記録媒体の縁に続く領域に余白を生じさせないよう当該領域を含んで記録を行なう縁なし記録を行なうことが可能なインクジェット記録方法において、
記録ヘッドの走査を制御する制御ステップを有し、
該制御ステップは、前記縁なし記録を行なうときは、同じ記録媒体のサイズに対して該縁なし記録以外の、記録媒体の縁に続く領域を記録しないで当該領域を余白とする記録を行なうときより、記録ヘッドの走査に伴う移動距離が長い第１の距離または該第１の距離より長い第２の距離を含む移動制御を行なうことを特徴とするインクジェット記録方法。
【請求項２３】
前記制御ステップは、減速開始タイミングを遅らせることにより、前記移動距離を長くするすることを特徴とする請求項２２に記載のインクジェット記録方法。
【請求項２４】
前記制御ステップは、減速制御に用いる減速テーブルを変更することにより、前記移動距離を長くすることを特徴とする請求項２２に記載のインクジェット記録方法。
【請求項２５】
前記制御ステップは、記録に用いる記録媒体のサイズを検知し、該サイズに応じて前記移動距離を長くするための走査の制御を実行するか否かを定めることを特徴とする請求項２２ないし２４のいずれかに記載のインクジェット記録方法。
【請求項２６】
コンピュータに、インクを吐出する記録ヘッドを用い、該記録ヘッドを記録媒体に対して走査し当該記録ヘッドから記録媒体にインクを吐出して記録を行なう処理であって、記録媒体の縁に続く領域に余白を生じさせないよう当該領域を含んで記録を行なう縁なし記録を行なうことが可能なインクジェット記録処理を実行させるためのプログラムにおいて、該プログラムの処理は、
前記縁なし記録に際して、記録ヘッドが前記記録媒体の縁をはみ出してインクを吐出しつつ当該記録ヘッドの走査を行なうとき、前記記録において記録媒体を支持するための複数の支持部材のうち、記録に用いられる一のサイズの記録媒体を支持する支持部材と、該支持部材に隣接し前記一のサイズの記録媒体を支持しない支持部材と、前記記録ヘッドの走査に伴って記録媒体上方を移動する部材とによって形成される空間が、さらなる走査によって当該空間より上の部分を介して開放されるよう、当該走査を制御する、
ステップを有したことを特徴とするプログラム。
【請求項２７】
コンピュータに、インクを吐出する記録ヘッドを用い、該記録ヘッドを記録媒体に対して走査し当該記録ヘッドから記録媒体にインクを吐出して記録を行なう処理であって、記録媒体の縁に続く領域に余白を生じさせないよう当該領域を含んで記録を行なう縁なし記録を行なうことが可能なインクジェット記録処理を実行させるためのプログラムにおいて、該プログラムの処理は、
記録ヘッドの走査を制御する制御ステップを有し、
該制御ステップは、前記縁なし記録を行なうときは、該縁なし記録以外の、記録媒体の縁に続く領域を記録しないで当該領域を余白とする記録を行なう記録を行うときより、記録ヘッドの走査に伴う移動距離を長くすることを特徴とするプログラム。
【請求項２８】
コンピュータに、インクを吐出する記録ヘッドを用い、該記録ヘッドを記録媒体に対して走査し当該記録ヘッドから記録媒体にインクを吐出して記録を行なう処理であって、記録媒体の縁に続く領域に余白を生じさせないよう当該領域を含んで記録を行なう縁なし記録を行なうことが可能なインクジェット記録処理を実行させるためのプログラムを記憶した記憶媒体において、
該プログラムの処理は、
前記縁なし記録に際して、記録ヘッドが前記記録媒体の縁をはみ出してインクを吐出しつつ当該記録ヘッドの走査を行なうとき、前記記録において記録媒体を支持するための複数の支持部材のうち、記録に用いられる一のサイズの記録媒体を支持する支持部材と、該支持部材に隣接し前記一のサイズの記録媒体を支持しない支持部材と、前記記録ヘッドの走査に伴って記録媒体上方を移動する部材とによって形成される空間が、さらなる走査によって当該空間より上の部分を介して開放されるよう、当該走査を制御する、
ステップを有したことを特徴とする記憶媒体。
【請求項２９】
コンピュータに、インクを吐出する記録ヘッドを用い、該記録ヘッドを記録媒体に対して走査し当該記録ヘッドから記録媒体にインクを吐出して記録を行なう処理であって、記録媒体の縁に続く領域に余白を生じさせないよう当該領域を含んで記録を行なう縁なし記録を行なうことが可能なインクジェット記録処理を実行させるためのプログラムを記憶した記憶媒体において、
該プログラムの処理は、
記録ヘッドの走査を制御する制御ステップを有し、
該制御ステップは、前記縁なし記録を行なうときは、該縁なし記録以外の、記録媒体の縁に続く領域を記録しないで当該領域を余白とする記録を行なう記録を行うときより、記録ヘッドの走査に伴う移動距離を長くすることを特徴とする記憶媒体。
【発明の詳細な説明】
【０００１】
【発明の属する技術分野】
本発明は、インクジェット記録装置およびインクジェット記録方法に関し、詳しくは、記録用紙などの記録媒体において余白を設けずに記録を行なう、いわゆる縁なし記録に関するものである。
【０００２】
【従来の技術】
インクジェットプリンタなどのインクジェット記録装置では、記録ヘッドに対向する位置にプラテンが設けられている。このプラテンによって、その上を搬送される記録媒体とこれにインクを吐出する記録ヘッドとを適切な位置関係に規制することができる。そして、プラテンと記録媒体との実際の接触は、記録媒体の搬送における摺動性や搬送時の安定性などを考慮して、記録媒体とその頂部で略線接触する、プラテン上に設けられたリブを介して行なわれることが多い。このリブは、例えば、プラテンの上面において記録ヘッドの走査方向に複数配列され、また、この複数のリブは搬送される記録媒体の上記走査方向のサイズが異なる複数の記録媒体に対応できる配置とされている。記録媒体はこのようなプラテンリブの頂部に支持された状態で、記録ヘッドと一定距離を保ちつつ搬送されることが可能となる。
【０００３】
一方、インクジェットプリンタなどでは銀塩写真なみの高画質記録が可能になりつつある。これに伴い、銀塩写真と同様の記録を行うべく、光沢を有した記録媒体を用い、また、この記録材に対して縁なしで記録を行なうことの需要が高まりつつあり、近年この機能を具えたインクジェットプリンタが提供されている。ここで、「縁なし記録」とは、例えば、銀塩写真において四辺に余白を設けないで媒体の全面にプリントをするものと同様の態様であり、インクジェットプリンタなどのインクジェット記録装置においても、記録媒体の四辺に余白が生じないよう全面に記録することをいう。また、本明細書では、四辺のうち一部、例えば二辺に余白が生じないよう、その二辺それぞれの縁に連続する領域を含んで記録を行なうような一部について全面記録を行なう態様も縁なし記録に含むものであり、本明細書では、以上の全ての態様を「縁なし記録」という。
【０００４】
インクジェットプリンタにおいて縁なし記録を行うには、基本的に記録媒体の縁からはみ出した領域にもインクを吐出する必要がある。すなわち、記録媒体の搬送誤差やカット精度などによる記録媒体自体のサイズ誤差などがあるため、常に、記録媒体の全面にその縁まで正確に記録することは難しく、このため、上記の誤差に応じて、記録媒体の縁からはみ出した領域までインクを吐出して記録することが一般的に行なわれている。
【０００５】
また、このはみ出した領域に吐出されたインクは回収されることが望ましく、そのために、例えば、記録媒体の搬送方向における端部の記録ではみ出すインクについては、記録ヘッドの走査範囲に沿って所定幅で上述のプラテンに切り欠きを設けるとともにその切り欠き内部にインク吸収体を設けて回収する。また、記録媒体の幅方向、すなわち、記録ヘッドの走査方向における端部の記録ではみ出すインクについては、搬送される記録媒体の幅に対応した箇所に、記録ヘッドの吐出口配列に対応した範囲にわたって同様にプラテンに切り欠きが設けられ、その内部にインク吸収体が設けられる。これにより、記録媒体の四辺の外にはみ出して吐出されたインクを回収することができる。
【０００６】
図１８は、従来の縁なし記録を説明する図であり、記録媒体である用紙の幅方向における縁なし記録を示している。図において、プラテン１８０１上に所定の高さのリブ１８０２が複数設けられ、直接にはこれらのリブ１８０２が搬送される用紙１８０３と接してこれを支える。この用紙１８０３は、不図示の紙送り機構によって同図の奥より手前に向けて搬送される。一方、キャリッジ１８０４は記録ヘッド１８０５を搭載して、図中、矢印Ａ方向およびその逆方向に記録ヘッドの走査を行う。このキャリッジ１８０４は、例えば、用紙の端が浮いた状態でもその端を引っ掛けないようにするため、キャリッジの端部を斜めに形成したものである。なお、図では記録ヘッド１８０５がキャリッジ１８０４の左端に搭載されているように示されるが、実際には記録ヘッド１８０５はキャリッジ１８０４の走査方向における略中央部に搭載されており、記録ヘッドを挟んでキャリッジの左右は略対称形状となっている。１８０６は、記録ヘッド１８０５に配列されているインク吐出口の（同図の紙面に垂直方向の）配列を模式的に示しており、例えば、イエロー（Ｙ）、マゼンタ（Ｍ）、シアン（Ｃ）、ブラック（Ｋ）およびマゼンタ、シアンについてより色材濃度の薄い淡マゼンタ（ＬＭ）、淡シアン（ＬＣ）の６種類のインクの吐出口列を示すものである。なお、実際は、同図に示すように吐出口（列）が記録ヘッドから突出して設けられるものではなく、平面の部材に形成された孔として設けられるものである。記録ヘッドのそれぞれの吐出口には、それに連通するインク路に電気熱変換素子であるヒータが設けられ、このヒータが発生する熱エネルギーを利用してインクに気泡を生じさせ、その気泡の圧力によってインクを吐出することができる。
【０００７】
縁無し記録のため、用紙１８０３の幅方向の縁１８０８をはみ出して記録を行う場合、例えば、同図に示すように、キャリッジ１８０４が、矢印Ａが示す方向と逆方向に移動するのに伴い、記録ヘッド１８０５のそれぞれの色のインクを吐出する吐出口（列１８０６）は、縁１８０８からはみ出した、矢印で示す領域Ｐまで所定の吐出データに基いて吐出を行なう。この領域Ｐでは、吐出されたインクは、一般には矢印Ｉで示すようにインク吸収体１８０９に至り回収される。なお、はみ出して吐出するための上記所定の吐出データは、例えば、各走査において吐出するデータの最も端のコラムもしくはラスター、またはそれに続く数コラムもしくは数ラスターの吐出データと同じデータとすることができる。
【０００８】
領域Ｐにおける吐出の後は、記録時間を短くするなどの目的で、キャリッジ１８０４をできるだけ短い距離で減速して停止させる。図中矢印Ｓは減速して停止する距離を示している。そして、停止後は、キャリッジ１８０４は矢印Ａ方向に動き始め次の走査を行う。
【０００９】
以上のように、縁無し記録を行う場合には記録媒体において余白を生じさせないために記録対象画像の大きさを記録媒体のサイズより若干大きく拡大し、記録媒体よりはみ出してインクを吐出するようにする。そして、はみ出して吐出されたインクは、一般にはプラテン内に設けられた吸収体に着弾して回収されるようにしている。
【００１０】
【発明が解決しようとする課題】
しかしながら、昨今のインクジェット記録装置は、さらなる高画質化などのために吐出されるインク滴がより小液滴化してきているが、この小液滴化が縁なし記録におけるインクミストの問題を派生することがある。
【００１１】
例えば、あるインクジェットプリンタで用いられる最も小さい主インク滴のサイズが約２ｐｌであるとする。ここで、主インク滴とは記録媒体において実質的にドットを形成するものであり、記録ヘッドもしくはプリンタ等の設計において考慮されるファクタである。記録ヘッドの吐出動作では、この主インク滴とともにこれよりさらに小さなサテライトと呼ばれる微小インク滴が、主インク滴から分離して生じ、または主インク滴とともに吐出されることがある。本願発明者らの実験によれば、このような約２ｐｌという比較的小さな体積の主インク滴を記録媒体からはみ出して吐出する場合、１５ｍ／ｓ程度の初速度で主インク滴を吐出すると、サテライトはその速度が小さいため、空気抵抗によってプラテン内に設けられたインク吸収体まで飛翔できないことがわかった。そして、このようなインク吸収体に至らないインク滴はミストとして浮遊する。また、主インク滴の初速度がより小さな１０ｍ／ｓ程度である場合は、インク吸収体に到達するまでに必要とされる飛翔距離によっては主インク滴までもがミスト化する恐れもある。
【００１２】
このはみ出して吐出が行われる領域で発生するミストの問題について図１８を参照して具体的に説明する。同図は、縁なし記録において、用紙１８０３の幅方向における縁１８０８、すなわち、記録ヘッドの走査方向における縁をはみ出してインクを吐出する場合を示している。詳細には、記録ヘッド１８０５が同図に示す矢印Ａ方向とは逆の方向、つまり、用紙１８０３上を走査した後これを抜ける方向に走査して移動方向の反転のため停止するまでの間に、縁１８０８をはみ出してインクを吐出する場合を示している。
【００１３】
はみ出して吐出する領域Ｐにおける吐出インク滴Ｉのうち、主インク滴以外の微小インク滴（サテライト）は空気抵抗によってインク吸収体に到達せずにミスト化し、撒き上がるミストＦとなる。そして、このミストＦが生じるとき、キャリッジ１８０４は距離Ｓだけ移動して停止する。この記録ヘッドがはみ出してインクを吐出して停止するまでの間、領域Ｐは比較的長い時間、その上方が閉鎖された空間となって、撒きあがって浮遊するミストＦはその閉鎖された空間内に閉じ込められることになる。その結果、ミストは、上記閉鎖空間を形成する、特に左側のリブ１８０２の頂部に符号１８１３で示すように付着することがある。そして、このリブに付着したインクは、例えば、より大きなサイズの用紙が搬送されるとき、その用紙の裏面に付着して用紙を汚染するなどの問題を生じさせる。
【００１４】
これに対し、例えば、インク吸収体を記録ヘッドにより近づけることにより、簡易に、主インク滴以外の非常に小さいインク滴も吸収体に到達できるようにすることが考えられる。しかし、その程度まで近づけると、用紙が搬送されるときにその先端や後端が若干曲った場合その用紙の一部が直接吸収体にふれるおそれがある。
【００１５】
また、例えば、はみ出して吐出する領域の大きさをユーザーが設定できるプリンタであれば、用紙に余白が生じない程度でできるだけはみ出し領域の大きさを少なく設定できるが、この場合は、ユーザーによる調整の手間が煩雑になるという問題が派生する。
【００１６】
さらに、複数の異なるサイズのインク滴を吐出できる記録ヘッドを用いたプリンタなどでは、縁無し記録以外で最小体積の主インク滴（２ｐｌ）を吐出して記録を行い、縁なし記録モードでは上記の最小体積の主インク滴は吐出せずに、ミストが発生しにくいより大きな体積の主インク滴を吐出するようにすることが考えられる。具体的構成として、例えば、特開平２００２−１９２７１４号公報では、プラテンと記録ヘッドとのギャップを検出するセンサを設けて記録ヘッドからインク吸収体までの距離を求め、この距離が大である場合には使用できる記録モードを制限し、２ｐｌ程度の比較的小さなインク滴を吐出させないようにする技術を開示している。しかし、このような小さなインク滴を縁なし記録では用いることができず、結果として、そのインク滴による高画質の記録を行なうことができないことになる。
【００１７】
本発明は、以上の問題を解決するためになされたものであり、目的とするところは、縁なし記録において記録媒体からはみ出して吐出される領域で発生するインクミストがその領域を囲む部材に付着することを抑制し、この付着したミストによる用紙などの汚れを防止することができるインクジェット記録装置およびインクジェト記録方法を提供することにある。
【００１８】
【課題を解決するための手段】
そのために、本発明では、インクを吐出する記録ヘッドを用い、該記録ヘッドを記録媒体に対して走査し当該記録ヘッドから記録媒体にインクを吐出して記録を行なう装置であって、記録媒体の縁に続く領域に余白を生じさせないよう当該領域を含んで記録を行なう縁なし記録を行なうことが可能なインクジェット記録装置において、前記記録において記録媒体を支持するための複数の支持部材と、前記縁なし記録に際して、記録ヘッドが前記記録媒体の縁をはみ出してインクを吐出しつつ当該記録ヘッドの走査を行なうとき、前記複数の支持部材のうち、記録に用いられる一のサイズの記録媒体を支持する支持部材と、該支持部材に隣接し前記一のサイズの記録媒体を支持しない支持部材と、前記記録ヘッドの走査に伴って記録媒体上方を移動する部材とによって形成される空間が、さらなる走査によって当該空間より上の部分を介して開放されるよう、当該走査を制御する制御手段と、を具えたことを特徴とする。
【００１９】
他の形態では、インクを吐出する記録ヘッドを用い、該記録ヘッドを記録媒体に対して走査し当該記録ヘッドから記録媒体にインクを吐出して記録を行なう装置であって、記録媒体の縁に続く領域に余白を生じさせないよう当該領域を含んで記録を行なう縁なし記録を行なうことが可能なインクジェット記録装置において、記録ヘッドの走査を制御する制御手段を具え、該制御手段は、前記縁なし記録を行なうときは、同じ記録媒体のサイズに対して該縁なし記録以外の、記録媒体の縁に続く領域を記録しないで当該領域を余白とする記録を行なうときより、記録ヘッドの走査に伴う移動距離が長い第１の距離または該第１の距離より長い第２の距離を含む移動制御を行なうことを特徴とする。
【００２０】
また、インクを吐出する記録ヘッドを用い、該記録ヘッドを記録媒体に対して走査し当該記録ヘッドから記録媒体にインクを吐出して記録を行なう方法であって、記録媒体の縁に続く領域に余白を生じさせないよう当該領域を含んで記録を行なう縁なし記録を行なうことが可能なインクジェット記録方法において、前記記録において記録媒体を支持するための複数の支持部材を用意し、前記縁なし記録に際して、記録ヘッドが前記記録媒体の縁をはみ出してインクを吐出しつつ当該記録ヘッドの走査を行なうとき、前記複数の支持部材のうち、記録に用いられる一のサイズの記録媒体を支持する支持部材と、該支持部材に隣接し前記一のサイズの記録媒体を支持しない支持部材と、前記記録ヘッドの走査に伴って記録媒体上方を移動する部材とによって形成される空間が、さらなる走査によって当該空間より上の部分を介して開放されるよう、当該走査を制御する、ステップを有したことを特徴とする。
【００２１】
他の形態では、インクを吐出する記録ヘッドを用い、該記録ヘッドを記録媒体に対して走査し当該記録ヘッドから記録媒体にインクを吐出して記録を行なう方法であって、記録媒体の縁に続く領域に余白を生じさせないよう当該領域を含んで記録を行なう縁なし記録を行なうことが可能なインクジェット記録方法において、記録ヘッドの走査を制御する制御ステップを有し、該制御ステップは、前記縁なし記録を行なうときは、同じ記録媒体のサイズに対して該縁なし記録以外の、記録媒体の縁に続く領域を記録しないで当該領域を余白とする記録を行なうときより、記録ヘッドの走査に伴う移動距離が長い第１の距離または該第１の距離より長い第２の距離を含む移動制御を行なうことを特徴とする。
【００２２】
以上の構成によれば、縁なし記録に際して、記録ヘッドが記録媒体の縁をはみ出してインクを吐出するとき、記録ヘッドの走査において、記録媒体を支持する、例えばプラテンリブなどの支持部材のうち、記録に用いられる記録媒体を支持する支持部材と、この支持部材に隣接し記録媒体を支持しない支持部材と、前記記録ヘッドの走査に伴って記録媒体上方を移動する、例えばキャリッジなどの部材とによって形成される空間が、さらなる走査によってその空間より上の部分を介して開放されるので、上記のはみ出したインク吐出によって上記空間内にミストが発生しても、そのミストは上記開放された部分を介してその空間の上方に導かれる。その結果、発生したミストが、上記空間を形成するリブなどの支持部材に付着する量を低減し、または、略付着することを防止でき、その支持部材がその後に支持する別の記録媒体にミストが転写されてこれを汚すことを防ぐことができる。
【００２３】
また、同じ用紙サイズに対して、例えば、異なるインク滴のサイズに応じて縁なし記録を行なうときは、縁なし記録以外の、記録媒体の縁に続く領域を記録しないで当該領域を余白とする記録を行なうときより、記録ヘッドの走査に伴う移動距離が長い第１の距離または該第１の距離より長い第２の距離を含む移動制御を行なうので、縁なし記録を行うときは、上記のより確実な開放を行うべく、例えば第１の距離が開放が必要ない場合であっても第２の距離によって確実な上記開放を行うことができ、上記の付着ミスト量低減の作用を得ることができる。
【００２４】
【発明の実施の形態】
以下、図面を参照して本発明の実施形態を詳細に説明する。
【００２５】
まず、図１〜図１０を参照して本発明のインクジェット記録装置の一実施形態であるインクジェットプリンタについて説明する。
【００２６】
なお、本明細書において、「記録」とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も言うものとする。
【００２７】
ここで、「記録媒体」とは、一般的なプリント装置で用いられる紙のみならず、広く、布、プラスチック・フィルム、金属板等、ガラス、セラミックス、木材、皮革等、インクを受容可能な物も言うものとする。
【００２８】
さらに、「インク」とは、上記「記録」の定義と同様広く解釈されるべきもので、記録媒体上に付与されることによって、画像、模様、パターン等の形成または記録媒体の加工、或いはインクの処理（例えば記録媒体に付与されるインク中の色材の凝固または不溶化）に供され得る液体を言うものとする。
【００２９】
［装置本体］
図１及び図２にインクジェット記録方式を用いたプリンタの概略構成を示す。図１において、この実施形態におけるプリンタの装置本体Ｍ１０００の外郭は、下ケースＭ１００１、上ケースＭ１００２、アクセスカバーＭ１００３及び排出トレイＭ１００４を含む外装部材と、その外装部材内に収納されたシャーシＭ３０１９（図２参照）とから構成される。
【００３０】
シャーシＭ３０１９は、所定の剛性を有する複数の板状金属部材によって構成され、記録装置の骨格をなし、後述の各記録動作機構を保持するものとなっている。
【００３１】
また、前記下ケースＭ１００１は装置本体Ｍ１０００の外装の略下半部を、上ケースＭ１００２は装置本体Ｍ１０００の外装の略上半部をそれぞれ形成しており、両ケースの組合せによって内部に後述の各機構を収納する収納空間を有する中空体構造をなしている。装置本体Ｍ１０００の上面部及び前面部には、それぞれ、開口部が形成されている。
【００３２】
さらに、排出トレイＭ１００４は、その一端部が下ケースＭ１００１に回転自在に保持され、その回転によって下ケースＭ１００１の前面部に形成される前記開口部を開閉させ得るようになっている。このため、記録動作を実行させる際には、排出トレイＭ１００４を前面側へと回転させて開口部を開成させることにより、ここから記録シートが排出可能となると共に排出された記録シートＰを順次積載し得るようになっている。また、排紙トレイＭ１００４には、２枚の補助トレイＭ１００４ａ，Ｍ１００４ｂが収納されており、必要に応じて各トレイを手前に引き出すことにより、用紙の支持面積を３段階に拡大、縮小させ得るようになっている。
【００３３】
アクセスカバーＭ１００３は、その一端部が上ケースＭ１００２に回転自在に保持され、上面に形成される開口部を開閉し得るようになっており、このアクセスカバーＭ１００３を開くことによって本体内部に収納されている記録ヘッドカートリッジＨ１０００あるいはインクタンクＨ１９００等の交換が可能となる。なお、ここでは特に図示しないが、アクセスカバーＭ１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００３４】
また、上ケースＭ１００２の後部上面には、電源キーＥ００１８及びレジュームキーＥ００１９が押下可能に設けられると共に、ＬＥＤ　Ｅ００２０が設けられており、電源キーＥ００１８を押下すると、ＬＥＤ　Ｅ００２０が点灯し記録可能であることをオペレータに知らせるものとなっている。また、ＬＥＤ　Ｅ００２０は点滅の仕方や色の変化をさせたり、プリンタのトラブル等をオペレータに知らせる等種々の表示機能を有する。さらに、ブザーＥ００２１（図７）をならすこともできる。なお、トラブル等が解決した場合には、レジュームキーＥ００１９を押下することによって記録が再開されるようになっている。
【００３５】
［記録動作機構］
次に、プリンタの装置本体Ｍ１０００に収納、保持される本実施形態における記録動作機構について説明する。
【００３６】
本実施形態における記録動作機構としては、記録シートを装置本体内へと自動的に給送する、自動給送部Ｍ３０２２と自動給送部から１枚ずつ送出される記録シートを所定の記録位置へと導くと共に、記録位置から排出部Ｍ３０３０へと記録シートを導く搬送部Ｍ３０２９と、記録位置に搬送された記録シートに所望の記録を行なう記録部と、前記記録部等に対する回復処理を行う回復部（Ｍ５０００）とから構成されている。搬送部Ｍ３０２９の詳細は図１１および図１２にて後述される。この搬送部における、記録部の記録ヘッドの走査する領域の下方には、図１１、図１２にて詳細に説明されるプラテンおよびその上に形成される複数のリブが設けられる。なお、図２においては以上の搬送部Ｍ３０２９の詳細な図示は省略されている。
【００３７】
（記録部）
ここで、記録部について説明するに、その記録部は、キャリッジ軸Ｍ４０２１によって移動可能に支持されたキャリッジＭ４００１と、このキャリッジＭ４００１に着脱可能に搭載される記録ヘッドカートリッジＨ１０００とからなる。
【００３８】
［記録ヘッドカートリッジ］
まず、記録部に用いられる記録ヘッドカートリッジについて図３〜５に基づき説明する。
【００３９】
この実施形態における記録ヘッドカートリッジＨ１０００は、図３に示すようにインクを貯留するインクタンクＨ１９００と、このインクタンクＨ１９００から供給されるインクを記録情報に応じてノズルから吐出させる記録ヘッドＨ１００１とを有する。記録ヘッドＨ１００１は、後述するキャリッジＭ４００１に対して着脱可能に搭載される、いわゆるカートリッジ方式を採るものとなっている。
【００４０】
ここに示す記録ヘッドカートリッジＨ１０００では、写真調の高画質なカラー記録を可能とするため、インクタンクとして、例えば、ブラック（Ｋ）、ライトシアン（ＬＣ）、ライトマゼンタ（ＬＭ）、シアン（Ｃ）、マゼンタ（Ｍ）及びイエロー（Ｙ）の各色独立のインクタンクＨ１９００が用意されており、図４に示すように、それぞれが記録ヘッドＨ１００１に対して着脱自在となっている。
【００４１】
そして，記録ヘッドＨ１００１は、図５の分解斜視図に示すように、記録素子基板Ｈ１１００、第１のプレートＨ１２００、電気配線基板Ｈ１３００、第２のプレートＨ１４００、タンクホルダーＨ１５００、流路形成部材Ｈ１６００、フィルターＨ１７００、シールゴムＨ１８００から構成されている。
【００４２】
記録素子基板Ｈ１１００には、Ｓｉ基板の片面にインクを吐出するための複数の記録素子と、各記録素子に電力を供給するＡｌ等の電気配線とが成膜技術により形成され、この記録素子に対応した複数のインク流路と複数の吐出口Ｈ１１００Ｔとがフォトリソグラフィ技術により形成されると共に、複数のインク流路にインクを供給するためのインク供給口が裏面に開口するように形成されている。また、記録素子基板Ｈ１１００は第１のプレートＨ１２００に接着固定されており、ここには、前記記録素子基板Ｈ１１００にインクを供給するためのインク供給口Ｈ１２０１が形成されている。さらに、第１のプレートＨ１２００には、開口部を有する第２のプレートＨ１４００が接着固定されており、この第２のプレートＨ１４００を介して、電気配線基板Ｈ１３００が記録素子基板Ｈ１１００に対して電気的に接続されるよう保持されている。この電気配線基板Ｈ１３００は、記録素子基板Ｈ１１００にインクを吐出するための電気信号を印加するものであり、記録素子基板Ｈ１１００に対応する電気配線と、この電気配線端部に位置し本体からの電気信号を受け取るための外部信号入力端子Ｈ１３０１とを有しており、外部信号入力端子Ｈ１３０１は、後述のタンクホルダーＨ１５００の背面側に位置決め固定されている。吐出口Ｈ１１００Тは、上述した６種類のインクに応じて６つの吐出口列を形成する。そして各列は、２列の吐出口列が相互に所定量ずれた千鳥状の列を形成しており、各吐出口からは、約２ｐｌの体積のインクが吐出される。
【００４３】
一方、インクタンクＨ１９００を着脱可能に保持するタンクホルダーＨ１５００には、流路形成部材Ｈ１６００が例えば、超音波溶着により固定され、インクタンクＨ１９００から第１のプレートＨ１２００に亘るインク流路Ｈ１５０１を形成している。また、インクタンクＨ１９００と係合するインク流路Ｈ１５０１のインクタンク側端部には、フィルターＨ１７００が設けられており、外部からの塵埃の侵入を防止し得るようになっている。また、インクタンクＨ１９００との係合部にはシールゴムＨ１８００が装着され、係合部からのインクの蒸発を防止し得るようになっている。
【００４４】
さらに、前述のようにタンクホルダーＨ１５００、流路形成部材Ｈ１６００、フィルターＨ１７００及びシールゴムＨ１８００から構成されるタンクホルダー部と、前記記録素子基板Ｈ１１００、第１のプレートＨ１２００、電気配線基板Ｈ１３００及び第２のプレートＨ１４００から構成される記録素子部とを、接着等で結合することにより、記録ヘッドＨ１００１を構成している。
【００４５】
［キャリッジ］
次に、図２を参照して記録ヘッドカートリッジＨ１０００を搭載するキャリッジＭ４００１を説明する。
【００４６】
図２に示すように、キャリッジＭ４００１には、キャリッジＭ４００１と係合し記録ヘッドＨ１００１をキャリッジＭ４００１上の所定の装着位置に案内するためのキャリッジカバーＭ４００２と、記録ヘッドＨ１００１のタンクホルダーＨ１５００と係合し記録ヘッドＨ１００１を所定の装着位置にセットさせるよう押圧するヘッドセットレバーＭ４００７とが設けられている。
【００４７】
すなわち、ヘッドセットレバーＭ４００７はキャリッジＭ４００１の上部にヘッドセットレバー軸に対して回動可能に設けられると共に、記録ヘッドＨ１００１との係合部には、ばね付勢されるヘッドセットプレート（不図示）が備えられ、このばね力によって記録ヘッドＨ１００１を押圧しながらキャリッジＭ４００１に装着する構成となっている。
【００４８】
また、キャリッジＭ４００１の記録ヘッドＨ１００１との別の係合部にはコンタクトフレキシブルプリントケーブル（図７参照、以下、コンタクトＦＰＣと称す）Ｅ００１１が設けられ、コンタクトＦＰＣ　Ｅ００１１上のコンタクト部と記録ヘッドＨ１００１に設けられたコンタクト部（外部信号入力端子）Ｈ１３０１とが電気的に接触し、記録のための各種情報の授受や記録ヘッドＨ１００１への電力の供給などを行い得るようになっている。
【００４９】
ここでコンタクトＦＰＣ　Ｅ００１１のコンタクト部とキャリッジＭ４００１との間には不図示のゴムなどの弾性部材が設けられ、この弾性部材の弾性力とヘッドセットレバーばねによる押圧力とによってコンタクト部とキャリッジＭ４００１との確実な接触を可能とするようになっている。さらに前記コンタクトＦＰＣ　Ｅ００１１はキャリッジＭ４００１の背面に搭載されたキャリッジ基板Ｅ００１３に接続されている（図７参照）。
【００５０】
［スキャナ］
この実施形態におけるプリンタは、上述した記録ヘッドカートリッジＨ１０００の代わりにキャリッジＭ４００１にスキャナを装着することで読取装置としても使用することができる。
【００５１】
このスキャナは、プリンタ側のキャリッジＭ４００１と共に主走査方向に移動し、記録媒体に代えて給送された原稿画像をその主走査方向への移動の過程で読み取るようになっており、その主走査方向の読み取り動作と原稿の副走査方向の給送動作とを交互に行うことにより、１枚の原稿画像情報を読み取ることができる。
【００５２】
図６（ａ）および（ｂ）は、このスキャナＭ６０００の概略構成を説明するために、スキャナＭ６０００を上下逆にして示す図である。
【００５３】
図示のように、スキャナホルダＭ６００１は、略箱型の形状であり、その内部には読み取りに必要な光学系・処理回路などが収納されている。また、このスキャナＭ６０００をキャリッジＭ４００１へと装着した時に、原稿面と対面する部分には読取部レンズＭ６００６が設けられており、このレンズＭ６００６により原稿面からの反射光を内部の読取部に収束することで原稿画像を読み取るようになっている。一方、照明部レンズＭ６００５は内部に不図示の光源を有し、その光源から発せられた光がレンズＭ６００５を介して原稿へと照射される。
【００５４】
スキャナホルダＭ６００１の底部に固定されたスキャナカバーＭ６００３は、スキャナホルダＭ６００１内部を遮光するように嵌合し、側面に設けられたルーバー状の把持部によってキャリッジＭ４００１への着脱操作性の向上を図っている。スキャナホルダＭ６００１の外形形状は記録ヘッドＨ１００１と略同形状であり、キャリッジＭ４００１へは記録ヘッドカートリッジＨ１０００と同様の操作で着脱することができる。
【００５５】
また、スキャナホルダＭ６００１には、読取り処理回路を有する基板が収納される一方、この基板に接続されたスキャナコンタクトＰＣＢが外部に露出するよう設けられており、キャリッジＭ４００１へとスキャナＭ６０００を装着した際、スキャナコンタクトＰＣＢ　Ｍ６００４がキャリッジＭ４００１側のコンタクトＦＰＣ　Ｅ００１１に接触し、基板を、キャリッジＭ４００１を介して本体側の制御系に電気的に接続させるようになっている。
【００５６】
［プリンタの電気回路の構成］
次に、本発明の実施形態における電気的回路構成を説明する。
図７は、この実施形態における電気的回路の全体構成例を概略的に示す図である。
【００５７】
この実施形態における電気的回路は、主にキャリッジ基板（ＣＲＰＣＢ）Ｅ００１３、メインＰＣＢ（Ｐｒｉｎｔｅｄ　Ｃｉｒｃｕｉｔ　Ｂｏａｒｄ）Ｅ００１４、電源ユニットＥ００１５等によって構成されている。
【００５８】
ここで、電源ユニットＥ００１５は、メインＰＣＢ　Ｅ００１４と接続され、各種駆動電源を供給するものとなっている。
【００５９】
また、キャリッジ基板Ｅ００１３は、キャリッジＭ４００１（図２）に搭載されたプリント基板ユニットであり、コンタクトＦＰＣ　Ｅ００１１を通じて記録ヘッドとの信号の授受を行うインターフェースとして機能する他、キャリッジＭ４００１の移動に伴ってエンコーダセンサＥ０００４から出力されるパルス信号に基づき、エンコーダスケールＥ０００５とエンコーダセンサＥ０００４との位置関係の変化を検出し、その出力信号をフレキシブルフラットケーブル（ＣＲＦＦＣ）Ｅ００１２を通じてメインＰＣＢ　Ｅ００１４へと出力する。
【００６０】
さらに、メインＰＣＢ　Ｅ００１４はこの実施形態におけるインクジェット記録装置の各部の駆動制御を司るプリント基板ユニットであり、紙端検出センサ（ＰＥセンサ）Ｅ０００７、ＡＳＦ（自動給紙装置）センサＥ０００９、カバーセンサＥ００２２、パラレルインターフェース（パラレルＩ／Ｆ）Ｅ００１６、シリアルインターフェース（シリアルＩ／Ｆ）Ｅ００１７、リジュームキーＥ００１９、ＬＥＤ　Ｅ００２０、電源キーＥ００１８、ブザーＥ００２１等に対するＩ／Ｏポートを基板上に有する。またさらに、キャリッジＭ１４００を主走査させるための駆動源をなすモータ（ＣＲモータ）Ｅ０００１、記録媒体を搬送するための駆動源をなすモータ（ＬＦモータ）Ｅ０００２、記録ヘッドの回動動作と記録媒体の給紙動作に兼用されるモータ（ＰＧモータ）Ｅ０００３と接続されてこれらの駆動を制御する他、インクエンプティセンサＥ０００６、ＧＡＰセンサＥ０００８、ＰＧセンサＥ００１０、ＣＲＦＦＣ　Ｅ００１２、電源ユニットＥ００１５との接続インターフェイスを有する。
【００６１】
図８は、メインＰＣＢ　Ｅ００１４の内部構成を示すブロック図である。図において、Ｅ１００１はＣＰＵであり、このＣＰＵ　Ｅ１００１は内部に発振回路Ｅ１００５に接続されたクロックジェネレータ（ＰＣＧ）　Ｅ１００２を有し、その出力信号Ｅ１０１９によりシステムクロックを発生する。また、制御バスＥ１０１４を通じてＲＯＭ　Ｅ１００４およびＡＳＩＣ（ＡｐｐｌｉｃａｔｉｏｎＳｐｅｃｉｆｉｃ　Ｉｎｔｅｇｒａｔｅｄ　Ｃｉｒｃｕｉｔ）　Ｅ１００６に接続され、ＲＯＭに格納されたプログラムに従って、ＡＳＩＣ　Ｅ１００６の制御、電源キーからの入力信号Ｅ１０１７、及びリジュームキーからの入力信号Ｅ１０１６、カバー検出信号Ｅ１０４２、ヘッド検出信号（ＨＳＥＮＳ）Ｅ１０１３の状態の検知を行ない、さらにブザー信号（ＢＵＺ）Ｅ１０１８によりブザーＥ００２１を駆動し、内蔵されるＡ／ＤコンバータＥ１００３に接続されるインクエンプティ検出信号（ＩＮＫＳ）Ｅ１０１１及びサーミスタによる温度検出信号（ＴＨ）Ｅ１０１２の状態の検知を行う一方、その他各種論理演算・条件判断等を行ない、インクジェット記録装置の駆動制御を司る。
【００６２】
ここで、ヘッド検出信号Ｅ１０１３は、記録ヘッドカートリッジＨ１０００からフレキシブルフラットケーブルＥ００１２、キャリッジ基板Ｅ００１３及びコンタクトフレキシブルプリントケーブルＥ００１１を介して入力されるヘッド搭載検出信号であり、インクエンプティ検出信号Ｅ１０１１はインクエンプティセンサＥ０００６から出力されるアナログ信号、温度検出信号Ｅ１０１２はキャリッジ基板Ｅ００１３上に設けられたサーミスタ（図示せず）からのアナログ信号である。
【００６３】
Ｅ１００８はＣＲモータドライバであって、モータ電源（ＶＭ）Ｅ１０４０を駆動源とし、ＡＳＩＣ　Ｅ１００６からのＣＲモータ制御信号Ｅ１０３６に従って、ＣＲモータ駆動信号Ｅ１０３７を生成し、ＣＲモータＥ０００１を駆動する。Ｅ１００９はＬＦ／ＰＧモータドライバであって、モータ電源Ｅ１０４０を駆動源とし、ＡＳＩＣ　Ｅ１００６からのパルスモータ制御信号（ＰＭ制御信号）Ｅ１０３３に従ってＬＦモータ駆動信号Ｅ１０３５を生成し、これによってＬＦモータを駆動すると共に、ＰＧモータ駆動信号Ｅ１０３４を生成してＰＧモータを駆動する。
【００６４】
Ｅ１０１０は電源制御回路であり、ＡＳＩＣ　Ｅ１００６からの電源制御信号Ｅ１０２４に従って発光素子を有する各センサ等への電源供給を制御する。パラレルＩ／Ｆ　Ｅ００１６は、ＡＳＩＣ　Ｅ１００６からのパラレルＩ／Ｆ信号Ｅ１０３０を、外部に接続されるパラレルＩ／ＦケーブルＥ１０３１に伝達し、またパラレルＩ／ＦケーブルＥ１０３１の信号をＡＳＩＣ　Ｅ１００６に伝達する。シリアルＩ／Ｆ　Ｅ００１７は、ＡＳＩＣ　Ｅ１００６からのシリアルＩ／Ｆ信号Ｅ１０２８を、外部に接続されるシリアルＩ／ＦケーブルＥ１０２９に伝達し、また同ケーブルＥ１０２９からの信号をＡＳＩＣ　Ｅ１００６に伝達する。
【００６５】
一方、電源ユニットＥ００１５からは、ヘッド電源（ＶＨ）Ｅ１０３９及びモータ電源（ＶＭ）Ｅ１０４０、ロジック電源（ＶＤＤ）Ｅ１０４１が供給される。また、ＡＳＩＣ　Ｅ１００６からのヘッド電源ＯＮ信号（ＶＨＯＮ）Ｅ１０２２及びモータ電源ＯＮ信号（ＶＭＯＭ）Ｅ１０２３が電源ユニットＥ００１５に入力され、それぞれヘッド電源Ｅ１０３９及びモータ電源Ｅ１０４０のＯＮ／ＯＦＦを制御する。電源ユニットＥ００１５から供給されたロジック電源（ＶＤＤ）Ｅ１０４１は、必要に応じて電圧変換された上で、メインＰＣＢ　Ｅ００１４内外の各部へ供給される。
【００６６】
またヘッド電源信号Ｅ１０３９は、メインＰＣＢ　Ｅ００１４上で平滑化された後にフレキシブルフラットケーブルＥ００１１へと送出され、記録ヘッドカートリッジＨ１０００の駆動に用いられる。
【００６７】
Ｅ１００７はリセット回路で、ロジック電源電圧Ｅ１０４１の低下を検出して、ＣＰＵ　Ｅ１００１及びＡＳＩＣ　Ｅ１００６にリセット信号（ＲＥＳＥＴ）Ｅ１０１５を供給し、初期化を行なう。
【００６８】
このＡＳＩＣ　Ｅ１００６は１チップの半導体集積回路であり、制御バスＥ１０１４を通じてＣＰＵ　Ｅ１００１によって制御され、前述したＣＲモータ制御信号Ｅ１０３６、ＰＭ制御信号Ｅ１０３３、電源制御信号Ｅ１０２４、ヘッド電源ＯＮ信号Ｅ１０２２、及びモータ電源ＯＮ信号Ｅ１０２３等を出力し、パラレルＩ／Ｆ　Ｅ００１６およびシリアルＩ／Ｆ　Ｅ００１７との信号の授受を行なう他、ＰＥセンサＥ０００７からのＰＥ検出信号（ＰＥＳ）Ｅ１０２５、ＡＳＦセンサＥ０００９からのＡＳＦ検出信号（ＡＳＦＳ）Ｅ１０２６、記録ヘッドと記録媒体とのギャップを検出するためのセンサ（ＧＡＰ）センサＥ０００８からのＧＡＰ検出信号（ＧＡＰＳ）Ｅ１０２７、ＰＧセンサＥ００１０からのＰＧ検出信号（ＰＧＳ）Ｅ１０３２の状態を検知して、その状態を表すデータを制御バスＥ１０１４を通じてＣＰＵ　Ｅ１００１に伝達し、入力されたデータに基づきＣＰＵ　Ｅ１００１はＬＥＤ駆動信号Ｅ１０３８の駆動を制御してＬＥＤＥ００２０の点滅を行なう。
【００６９】
さらに、エンコーダ信号（ＥＮＣ）Ｅ１０２０の状態を検知してタイミング信号を生成し、ヘッド制御信号Ｅ１０２１で記録ヘッドカートリッジＨ１０００とのインターフェイスをとり記録動作を制御する。ここにおいて、エンコーダ信号（ＥＮＣ）Ｅ１０２０はフレキシブルフラットケーブルＥ００１２を通じて入力されるＣＲエンコーダセンサＥ０００４の出力信号である。また、ヘッド制御信号Ｅ１０２１は、フレキシブルフラットケーブルＥ００１２、キャリッジ基板Ｅ００１３、及びコンタクトＦＰＣ　Ｅ００１１を経て記録ヘッドＨ１０００に供給される。
【００７０】
図９は、ＡＳＩＣ　Ｅ１００６の内部構成例を示すブロック図である。
【００７１】
なお、同図において、各ブロック間の接続については、記録データやモータ制御データ等、ヘッドや各部機構部品の制御にかかわるデータの流れのみを示しており、各ブロックに内蔵されるレジスタの読み書きに係わる制御信号やクロック、ＤＭＡ制御にかかわる制御信号などは図面上の記載の煩雑化を避けるため省略している。
【００７２】
図中、Ｅ２００２はＰＬＬコントローラであり、図９に示すようにＣＰＵ　Ｅ１００１から出力されるクロック信号（ＣＬＫ）Ｅ２０３１及びＰＬＬ制御信号（ＰＬＬＯＮ）Ｅ２０３３により、ＡＳＩＣ　Ｅ１００６内の大部分へと供給するクロック（図示しない）を発生する。
【００７３】
また、Ｅ２００１はＣＰＵインターフェース（ＣＰＵＩ／Ｆ）であり、リセット信号Ｅ１０１５、ＣＰＵ　Ｅ１００１から出力されるソフトリセット信号（ＰＤＷＮ）Ｅ２０３２、クロック信号（ＣＬＫ）Ｅ２０３１及び制御バスＥ１０１４からの制御信号により、以下に説明するような各ブロックに対するレジスタ読み書き等の制御や、一部ブロックへのクロックの供給、割り込み信号の受け付け等（いずれも図示しない）を行ない、ＣＰＵ　Ｅ１００１に対して割り込み信号（ＩＮＴ）Ｅ２０３４を出力し、ＡＳＩＣ　Ｅ１００６内部での割り込みの発生を知らせる。
【００７４】
また、Ｅ２００５はＤＲＡＭであり、記録用のデータバッファとして、受信バッファＥ２０１０、ワークバッファＥ２０１１、プリントバッファＥ２０１４、展開用データバッファＥ２０１６などの各領域を有すると共に、モータ制御用としてモータ制御バッファＥ２０２３を有し、さらにスキャナ動作モード時に使用するバッファとして、上記の各記録用データバッファに代えて使用されるスキャナ取込みバッファＥ２０２４、スキャナデータバッファＥ２０２６、送出バッファＥ２０２８などの領域を有する。
【００７５】
また、このＤＲＡＭ　Ｅ２００５は、ＣＰＵ　Ｅ１００１の動作に必要なワーク領域としても使用されている。すなわち、Ｅ２００４はＤＲＡＭ制御部であり、制御バスによるＣＰＵ　Ｅ１００１からＤＲＡＭ　Ｅ２００５へのアクセスと、後述するＤＭＡ制御部Ｅ２００３からＤＲＡＭ　Ｅ２００５へのアクセスとを切り替えて、ＤＲＡＭ　Ｅ２００５への読み書き動作を行なう。
【００７６】
ＤＭＡ制御部Ｅ２００３では、各ブロックからのリクエスト（図示せず）を受け付けて、アドレス信号や制御信号（図示せず）、書込み動作の場合には書込みデータＥ２０３８、Ｅ２０４１、Ｅ２０４４、Ｅ２０５３、Ｅ２０５５、Ｅ２０５７などをＤＲＡＭ制御部Ｅ２００４に出力してＤＲＡＭアクセスを行なう。また読み出しの場合には、ＤＲＡＭ制御部Ｅ２００４からの読み出しデータＥ２０４０、Ｅ２０４３、Ｅ２０４５、Ｅ２０５１、Ｅ２０５４、Ｅ２０５６、Ｅ２０５８、Ｅ２０５９を、リクエスト元のブロックに受け渡す。
【００７７】
また、Ｅ２００６は、ＩＥＥＥ　１２８４Ｉ／Ｆであり、ＣＰＵＩ／Ｆ　Ｅ２００１を介したＣＰＵ　Ｅ１００１の制御により、パラレルＩ／Ｆ　Ｅ００１６を通じて、図示しない外部ホスト機器との双方向通信インターフェイスを行なう他、記録時にはパラレルＩ／Ｆ　Ｅ００１６からの受信データ（ＰＩＦ受信データＥ２０３６）をＤＭＡ処理によって受信制御部Ｅ２００８へと受け渡し、スキャナ読み取り時にはＤＲＡＭ　Ｅ２００５内の送出バッファＥ２０２８に格納されたデータ（１２８４送信データ（ＲＤＰＩＦ）Ｅ２０５９）をＤＭＡ処理によりパラレルＩ／Ｆに送信する。
【００７８】
Ｅ２００７は、ユニバーサルシリアルバス（ＵＳＢ）Ｉ／Ｆであり、ＣＰＵＩ／Ｆ　Ｅ２００１を介したＣＰＵ　Ｅ１００１の制御により、シリアルＩ／Ｆ　Ｅ００１７を通じて、図示しない外部ホスト機器との双方向通信インターフェイスを行なう他、印刷時にはシリアルＩ／Ｆ　Ｅ００１７からの受信データ（ＵＳＢ受信データＥ２０３７）をＤＭＡ処理により受信制御部Ｅ２００８に受け渡し、スキャナ読み取り時にはＤＲＡＭ　Ｅ２００５内の送出バッファＥ２０２８に格納されたデータ（ＵＳＢ送信データ（ＲＤＵＳＢ）Ｅ２０５８）をＤＭＡ処理によりシリアルＩ／Ｆ　Ｅ００１７に送信する。受信制御部Ｅ２００８は、１２８４Ｉ／Ｆ　Ｅ２００６もしくはＵＳＢＩ／Ｆ　Ｅ２００７のうちの選択されたＩ／Ｆからの受信データ（ＷＤＩＦ）Ｅ２０３８）を、受信バッファ制御部Ｅ２０３９の管理する受信バッファ書込みアドレスに、書込む。
【００７９】
Ｅ２００９は圧縮・伸長ＤＭＡコントローラであり、ＣＰＵＩ／Ｆ　Ｅ２００１を介したＣＰＵＥ１００１の制御により、受信バッファＥ２０１０上に格納された受信データ（ラスタデータ）を、受信バッファ制御部Ｅ２０３９の管理する受信バッファ読み出しアドレスから読み出し、そのデータ（ＲＤＷＫ）Ｅ２０４０を指定されたモードに従って圧縮・伸長し、記録コード列（ＷＤＷＫ）Ｅ２０４１としてワークバッファ領域に書込む。
【００８０】
Ｅ２０１３は記録バッファ転送ＤＭＡコントローラで、ＣＰＵＩ／Ｆ　Ｅ２００１を介したＣＰＵ　Ｅ１００７の制御によってワークバッファＥ２０１１上の記録コード（ＲＤＷＰ）Ｅ２０４３を読み出し、各記録コードを、記録ヘッドカートリッジＨ１０００へのデータ転送順序に適するようなプリントバッファＥ２０１４上のアドレスに並べ替えて転送（ＷＤＷＰ　Ｅ２０４４）する。また、Ｅ２０１２はワーククリアＤＭＡコントローラであり、ＣＰＵＩ／Ｆ　Ｅ２００１を介したＣＰＵ　Ｅ１００１の制御によって記録バッファ転送ＤＭＡコントローラ　Ｅ２０１３による転送が完了したワークバッファ上の領域に対し、指定したワークフィルデータ（ＷＤＷＦ）Ｅ２０４２を繰返し書込む。
【００８１】
Ｅ２０１５は記録データ展開ＤＭＡコントローラであり、ＣＰＵＩ／Ｆ　Ｅ２００１を介したＣＰＵ　Ｅ１００１の制御により、ヘッド制御部Ｅ２０１８からのデータ展開タイミング信号Ｅ２０５０をトリガとして、プリントバッファ上に並べ替えて書込まれた記録コードと展開用データバッファＥ２０１６上に書込まれた展開用データとを読み出し、展開記録データ（ＲＤＨＤＧ）Ｅ２０４５をカラムバッファ書込みデータ（ＷＤＨＤＧ）Ｅ２０４７としてカラムバッファＥ２０１７に書込む。ここで、カラムバッファＥ２０１７は、記録ヘッドカートリッジＨ１０００への転送データ（展開記録データ）を一時的に格納するＳＲＡＭであり、記録データ展開ＤＭＡコントローラＥ２０１５とヘッド制御部Ｅ２０１８とのハンドシェーク信号（図示せず）によって両ブロックにより共有管理されている。
【００８２】
Ｅ２０１８はヘッド制御部で、ＣＰＵＩ／Ｆ　Ｅ２００１を介したＣＰＵ　Ｅ１００１の制御により、ヘッド制御信号を介して記録ヘッドカートリッジＨ１０００またはスキャナとのインターフェイスを行なう他、エンコーダ信号処理部Ｅ２０１９からのヘッド駆動タイミング信号Ｅ２０４９に基づき、記録データ展開ＤＭＡコントローラに対してデータ展開タイミング信号Ｅ２０５０の出力を行なう。
【００８３】
また、印刷時には、前記ヘッド駆動タイミング信号Ｅ２０４９に従って、カラムバッファから展開記録データ（ＲＤＨＤ）Ｅ２０４８を読み出し、そのデータをヘッド制御信号Ｅ１０２１として記録ヘッドカートリッジＨ１０００に出力する。
【００８４】
また、スキャナ読み取りモードにおいては、ヘッド制御信号Ｅ１０２１として入力された取込みデータ（ＷＤＨＤ）Ｅ２０５３をＤＲＡＭ　Ｅ２００５上のスキャナ取込みバッファＥ２０２４へとＤＭＡ転送する。Ｅ２０２５はスキャナデータ処理ＤＭＡコントローラであり、ＣＰＵＩ／Ｆ　Ｅ２００１を介したＣＰＵＥ１００１の制御により、スキャナ取込みバッファＥ２０２４に蓄えられた取込みバッファ読み出しデータ（ＲＤＡＶ）Ｅ２０５４を読み出し、平均化等の処理を行なった処理済データ（ＷＤＡＶ）Ｅ２０５５をＤＲＡＭ　Ｅ２００５上のスキャナデータバッファＥ２０２６に書込む。
【００８５】
Ｅ２０２７はスキャナデータ圧縮ＤＭＡコントローラで、ＣＰＵＩ／Ｆ　Ｅ２００１を介したＣＰＵ　Ｅ１００１の制御により、スキャナデータバッファＥ２０２６上の処理済データ（ＲＤＹＣ）Ｅ２０５６を読み出してデータ圧縮を行ない、圧縮データ（ＷＤＹＣ）Ｅ２０５７を送出バッファＥ２０２８に書込み転送する。
【００８６】
Ｅ２０１９はエンコーダ信号処理部であり、エンコーダ信号（ＥＮＣ）を受けて、ＣＰＵ　Ｅ１００１の制御で定められたモードに従ってヘッド駆動タイミング信号Ｅ２０４９を出力する他、エンコーダ信号Ｅ１０２０から得られるキャリッジＭ４００１の位置や速度にかかわる情報をレジスタに格納して、ＣＰＵ　Ｅ１００１に提供する。ＣＰＵ　Ｅ１００１はこの情報に基づき、ＣＲモータＥ０００１の制御における各種パラメータを決定する。また、Ｅ２０２０はＣＲモータ制御部であり、ＣＰＵＩ／Ｆ　Ｅ２００１を介したＣＰＵ　Ｅ１００１の制御により、ＣＲモータ制御信号Ｅ１０３６を出力する。
【００８７】
Ｅ２０２２はセンサ信号処理部で、ＰＧセンサＥ００１０、ＰＥセンサＥ０００７、ＡＳＦセンサＥ０００９、及びＧＡＰセンサＥ０００８等から出力される各検出信号Ｅ１０３３，Ｅ１０２５，Ｅ１０２６，Ｅ１０２７を受けて、ＣＰＵＥ１００１の制御で定められたモードに従ってこれらのセンサ情報をＣＰＵ　Ｅ１００１に伝達する他、ＬＦ／ＰＧモータ制御用ＤＭＡコントローラ　Ｅ２０２１に対してセンサ検出信号Ｅ２０５２を出力する。
【００８８】
ＬＦ／ＰＧモータ制御用ＤＭＡコントローラＥ２０２１は、ＣＰＵＩ／Ｆ　Ｅ２００１を介したＣＰＵ　Ｅ１００１の制御により、ＤＲＡＭ　Ｅ２００５上のモータ制御バッファＥ２０２３からパルスモータ駆動テーブル（ＲＤＰＭ）Ｅ２０５１を読み出してパルスモータ制御信号Ｅ１０３３を出力する他、動作モードによっては前記センサ検出信号を制御のトリガとしてパルスモータ制御信号Ｅ１０３３を出力する。
【００８９】
また、Ｅ２０３０はＬＥＤ制御部であり、ＣＰＵＩ／Ｆ　Ｅ２００１を介したＣＰＵ　Ｅ１００１の制御により、ＬＥＤ駆動信号Ｅ１０３８を出力する。さらに、Ｅ２０２９はポート制御部であり、ＣＰＵＩ／Ｆ　Ｅ２００１を介したＣＰＵ　Ｅ１００１の制御により、ヘッド電源ＯＮ信号Ｅ１０２２、モータ電源ＯＮ信号Ｅ１０２３、及び電源制御信号Ｅ１０２４を出力する。
【００９０】
［プリンタの動作］
次に、上記のように構成された本実施形態のインクジェットプリンタの動作を図１０のフローチャートに基づき説明する。
【００９１】
ＡＣ電源に装置本体１０００が接続されると、まず、ステップＳ１では装置の第１の初期化処理を行なう。この初期化処理では、本装置のＲＯＭおよびＲＡＭのチェックなどの電気回路系のチェックを行ない、電気的に本装置が正常に動作可能であるかを確認する。
【００９２】
次にステップＳ２では、装置本体Ｍ１０００の上ケースＭ１００２に設けられた電源キーＥ００１８がＯＮされたかどうかの判断を行い、電源キーＥ００１８が押された場合には、次のステップＳ３へと移行し、ここで第２の初期化処理を行う。
【００９３】
この第２の初期化処理では、本装置の各種駆動機構及び記録ヘッドのチェックを行なう。すなわち、各種モータの初期化やヘッド情報の読み込みを行うに際し、装置が正常に動作可能であるかを確認する。
【００９４】
次にステップＳ４ではイベント待ちを行なう。すなわち、本装置に対して、外部Ｉ／Ｆからの指令イベント、ユーザ操作によるパネルキーイベントおよび内部的な制御イベントなどを監視し、これらのイベントが発生すると当該イベントに対応した処理を実行する。
【００９５】
例えば、ステップＳ４で外部Ｉ／Ｆからの印刷指令イベントを受信した場合には、ステップＳ５へと移行し、同ステップでユーザ操作による電源キーイベントが発生した場合にはステップＳ１０へと移行し、同ステップでその他のイベントが発生した場合にはステップＳ１１へと移行する。
【００９６】
ここで、ステップＳ５では、外部Ｉ／Ｆからの印刷指令を解析し、指定された紙種別、用紙サイズ、印刷品位、給紙方法などを判断し、その判断結果を表すデータを本装置内のＲＡＭ　Ｅ２００５に記憶し、ステップＳ６へと進む。
【００９７】
次いでステップＳ６ではステップＳ５で指定された給紙方法により給紙を開始し、用紙を記録開始位置まで送り、ステップＳ７に進む。
【００９８】
ステップＳ７では記録動作を行なう。この記録動作では、外部Ｉ／Ｆから送出されてきた記録データを、一旦記録バッファに格納し、次いでＣＲモータＥ０００１を駆動してキャリッジＭ４００１の主走査方向への移動を開始すると共に、プリントバッファＥ２０１４に格納されている記録データを記録ヘッドＨ１００１へと供給して１行の記録を行ない、１行分の記録データの記録動作が終了するとＬＦモータＥ０００２を駆動し、ＬＦローラＭ３００１を回転させて用紙を副走査方向へと送る。この後、上記動作を繰り返し実行し、外部Ｉ／Ｆからの１ページ分の記録データの記録が終了すると、ステップ８へと進む。
【００９９】
ステップＳ８では、ＬＦモータＥ０００２を駆動し、排紙ローラＭ２００３を駆動し、用紙が完全に本装置から送り出されたと判断されるまで紙送りを繰返し、終了した時点で用紙は排紙トレイＭ１００４ａ上に完全に排紙された状態となる。
【０１００】
次にステップＳ９では、記録すべき全ページの記録動作が終了したか否かを判定し、記録すべきページが残存する場合には、ステップＳ５へと復帰し、以下、前述のステップＳ５〜Ｓ９までの動作を繰り返し、記録すべき全てのページの記録動作が終了した時点で記録動作は終了し、その後ステップＳ４へと移行し、次のイベントを待つ。
【０１０１】
一方、ステップＳ１０ではプリンタ終了処理を行ない、本装置の動作を停止させる。つまり、各種モータやヘッドなどの電源を切断するために、電源を切断可能な状態に移行した後、電源を切断しステップＳ４に進み、次のイベントを待つ。
【０１０２】
また、ステップＳ１１では、上記以外の他のイベント処理を行なう。例えば、本装置の各種パネルキーや外部Ｉ／Ｆからの回復指令や内部的に発生する回復イベントなどに対応した処理を行なう。なお、処理終了後にはステップＳ４に進み、次のイベントを待つ。
【０１０３】
以上図１０を参照して説明した処理は、図１５、図１６で後述する縁なし記録に関する処理を含むものであり、具体的には、これら図１５等で後述する処理は、ステップＳ４のイベントの判別に従ったステップＳ５以降の記録動作に関する処理、またはステップＳ１１以降のその他のイベントに係わる処理として説明されるものである。また、図１０に示される処理は、図７〜図９で説明した本プリンタの制御回路によって実行されるものである。しかし、図１０もしくは図１５、図１６に示す縁なし記録処理は、このような形態に限らず、例えば、ホストコンピュータ等のホスト装置によって実行されてもよく、あるいはホスト装置とプリンタを有した記録システムにおいてホスト装置とプリンタが部分的に実行してもよい。
【０１０４】
なお、本発明が有効に適用されるインクジェット記録装置で用いる記録ヘッドの一形態は、電気熱変換体が発生する熱エネルギーを利用して液体に膜沸騰を生じさせ気泡を形成し、この気泡の圧力によってインクを吐出する形態である。
【０１０５】
［記録領域］
図１１および図１２は、記録部および搬送部における、特に縁なし記録に係わる構成を示す図である。このうち、図１１は、用紙の搬送方向に対してその横方向から見た断面図であり、図１２（ａ）および（ｂ）は、プラテン、その上に設けられたリブおよびプラテン内に設けられたインク吸収体を示しており、同図（ｂ）はその上面図、同図（ａ）は同図（ｂ）におけるＢ−Ｂ線断面図である。図１２（ａ）において、用紙は同図の紙面の奥から手前側に搬送され、記録ヘッドは往復記録において左および右方向に走査される。
【０１０６】
図１１に示すように、プラテン１８０１の上流側には、搬送ローラＭ３００１とこれに用紙１８０３を押圧して搬送力を生じさせるためのピンチローラＭ３００２が設けられる。また、下流側には排紙ローラＭ２００３と同様に搬送力を生じさせるための拍車Ｍ２００４が設けられる。用紙１８０３が記録ヘッドによる記録領域を挟んで設けられたこれらのローラ対の双方によて保持されているときは、その搬送精度は一定以上のものが確保される。
【０１０７】
プラテン１８０１に設けられた切り欠きの内部にはインク吸収体１８０９が設けられる。この切り欠きは、図１２（ｂ）に示すように、記録ヘッド１８０５（Ｈ１００１）の走査方向（同図の左右方向、図１１ではその紙面に垂直な方向）に延在しており、記録ヘッド１８０５の走査によって、搬送される用紙１８０３の紙送り方向の先端部および後端部に対する記録を行なう際に、用紙１８０３からはみ出して吐出されるインクを切り欠き内部に設けられたインク吸収体によって捕捉することができる。
【０１０８】
また、搬送される用紙１８０３の幅方向、すなわち記録ヘッドの走査方向においてこの用紙１８０３をはみ出して吐出されるインクは、図１２（ａ）および（ｂ）に示す、リブ１８０２ｂに隣接して設けられる、用紙搬送方向において他の部分より長く延在するインク吸収体１８０９によって捕捉される。この部分のインク吸収体の長さは、記録ヘッド１８０５における各色インクの記録へどの吐出口配列の長さに対応してこれより長い範囲に設けられている。また、この吐出口列に対応した長さのインク吸収体は、図１２（ａ）から明らかなように、搬送される用紙１８０３ａ（２Ｌ判サイズ）、１８０３ｂ（葉書サイズ）または１８０３ｃ（Ｌ判サイズ）の幅方向のサイズに応じてそれぞれ設けられる。このように、記録ヘッドの吐出口配列の長さに対応してインク吸収体が設けられるのは、用紙の搬送方向の先端および後端以外では、全ての吐出口を用いて記録を行うためである。換言すれば、本実施形態では、用紙の先端のおよび後端では、用いる吐出口の数を少なくしてその領域の搬送精度の低下に対応している。
【０１０９】
また、本実施形態のプラテンリブは、図１２（ａ）および（ｂ）に示すように、図中矢印ａ、ｂで示した２種類の高さのリブを有している。高さａのリブ１８０２ａは用紙の端部以外の部分を支持するものであり、高さｂのリブ１８０２ｂは高さａより若干高く設定されており用紙の端部を支えるためのものである。これにより、搬送される用紙は、端部を少し持ち上げ用紙全体をわずかながら凹状にすることにより安定して搬送されることが可能となる。
【０１１０】
このように、より高いリブ１８０２ｂは、用紙の複数のサイズそれぞれに応じてそれぞれの端部を支持すべく複数の対応する位置に設けられることになる。この結果、高いリブと低いリブは混在し、用いるべく設定されている用紙のサイズに応じた位置関係で配置されることになる。図１２（ａ）に示す例では、２Ｌ判および葉書サイズの用紙１８０３ａ、１８０３ｂをそれぞれ支持するリブ１８０２ｂの左側で隣接するリブは、用紙の端部以外の部分を支持する低いリブ１８０２ａとなり、一方、Ｌ判サイズの用紙１８０３ｃを支持するリブ１８０２ｂの左側で隣接するリブは、葉書サイズの用紙１８０３ｂを支持する高いリブ１８０２ｂとなる。すなわち、そのプリンタで用いるべく設定されている用紙のサイズとそれら用紙間のサイズの関係によって、高いリブ１８０２ｂと低いリブ１８０２ａの配置が定まる。例えば、図１２（ａ）および（ｂ）に示す配置において、２Ｌ判サイズの用紙１８０３ａの端部を支持する高いリブ１８０２ｂの左側に配置される高いリブは、それが支持する用紙のサイズが２Ｌ判サイズの用紙１８０３ａのサイズより比較的大きく、そのためその高いリブは比較的離れた位置に配置されることから（不図示）、用紙の端部以外の部分を支持するためにそのリブとの間に低いリブ１８０２ａ（図１２（ａ）および（ｂ）において最も左側のリブ）が配置される。一方、Ｌ判サイズの用紙１８０３ｃより一回り大きな用紙として設定されているのは葉書サイズの用紙１８０３ｂであり、サイズの差がそれほど大きくないため、隣接するリブは高いリブ１８０２ｂとなる。
【０１１１】
また、１２（ａ）に示すとおり、インク吸収体はプラテン１８０１の面より下がった位置にその上面が位置するように配置される。これは、仮に用紙がプラテン１８０１の上面に触れることがあっても、インク吸収体には触れないようにするためである。本実施形態では、約１ｍｍほど下げた位置としている。
【０１１２】
なお、以上説明した図１２（ａ）および（ｂ）に示すリブなどの構成は同図の左右対称な構成ではなく、これら図の右側は、各サイズの用紙の位置基準となる部材が設けられている。また、これら図は、構成の一部を示すものである。つまり、これらの図の最も左側に示す低いリブ１８０２ａは、上述したように図に示されないより大きな、例えば、Ａ４サイズの用紙に対応したものであり、その用紙の端部を支持する高いリブはさらに左側に設けられている（不図示）。
【０１１３】
図１３（ａ）および（ｂ）は、上述した構成においてリブ等の配置に応じて、前述したミストの付着が顕著となり前述した問題を生じる場合と、付着の程度が軽いかもしくはほとんど付着がなく問題を生じない場合とを説明する図である。これらの図は、図１８にて前述したように縁なし記録における記録ヘッドの走査において、用紙から抜ける際にその用紙の縁からはみ出してインクを吐出し、その後、減速して反転する場合を示している。なお、図１８示したのと同様、図１３（ａ）および（ｂ）において、記録ヘッド１８０５はキャリッジ１８０４の左端に搭載されているように示されるが、実際には記録ヘッド１８０５はキャリッジ１８０４のおよそ中央部に搭載されており、記録ヘッドを挟んでキャリッジの左右は略対称形状となっている。また、本実施形態は、記録ヘッドの走査の双方向で記録を行う形態であり、図１３（ａ）および（ｂ）は、その双方向の走査それぞれにおいて記録ヘッドが用紙から抜ける場合を示しているが、本発明の適用はこの双方向記録の形態に限られないことはもちろんである。例えば、片方向記録において、記録ヘッドが、その走査において用紙から抜ける際にその用紙の縁からはみ出してインクを吐出し、その後、減速して反転のために停止する場合にも本発明を適用することができる。
【０１１４】
但し、本実施形態では図１８にて前述し、あるいは図１３（ａ）にて以下で説明されるミストの問題は、用紙１８０３のこれらの図に示されない反対側の縁の吐出では生じない。その理由は、その反対側は紙送りの位置基準側であるため、異なるサイズの用紙でもプラテン上における紙端は同じ位置となる。すなわち、図１３（ａ）で示すようなＬ判サイズの用紙１８０３ｃに対して縁無し記録を行うときにミストが顕著に付着するリブ１８０２ｂに相当するものは反対側に存在せず、かわりにプラテン部材の端となる壁が存在するのみで、この壁に付着するミストは再度紙に汚れを転写してしまうことがないからである。従って、図１４、図１５などにて後述するキャリッジの移動量をより長くする制御は、この反対側で用紙を抜ける走査では実行しない。なお、紙のセット位置とプラテンおよびリブの関係によって、両方の縁のインク吐出によってミストの問題が生じる場合には、以下で説明する本発明に係わる制御を行なうことはもちろんである。
【０１１５】
図１３（ａ）は、図１２にて説明したＬ判サイズの用紙１８０３ｃに縁無し記録を行う場合を示している。この場合、上述したように、その用紙の端部を支持するリブ１８０２ｂに隣接するリブは、葉書サイズの用紙の端部を支持するリブ１８０２ｂであり、これら２つのリブは比較的近い距離にある。これにより、これらリブとキャリッジ１８０４の底面、さらにインク吸収体１８０９とによって囲まれた空間は比較的狭い空間となる。
【０１１６】
その結果、図１８にて前述したように、この空間の左側のリブ１８０２ｂの、特に頂部にミストが顕著に付着することになる。本実施形態では、吐出インクＩの用紙１８０３ｃまでの飛翔距離は１．４ｍｍであり、これに対し、インク吸収体までの飛翔距離は、高いほうリブ１８０２ｂの高さが２．０ｍｍ、プラテン１８０１の上面よりインク吸収体までが１．０ｍｍであることから、４．４ｍｍと用紙までのおよそ３倍になる。この場合、本実施形態の約２ｐｌの比較的小さなインク滴を記録ヘッドから吐出した場合、前述したように、インク吸収体までの飛翔距離４．４ｍｍの条件では多くのミストが発生する。
【０１１７】
図１３（ｂ）は、２Ｌ判サイズの用紙１８０３ａに縁無し記録を行う場合を示しており、この場合は、その用紙の端部を支持する高さｂのリブ１８０２ｂの左側において隣接するリブは、比較的遠くに位置し、かつ低いリブ１８０２ａである。これにより、これら２つのリブに挟まれた空間の上部にキャリッジ１８０５の底面が存在するが、その空間においてミストが発生する領域Ｐの図中左方は比較的大きな広がりを有することになり、左側のリブ１８０２ａにミストが付着する量は少なくなるか、ほとんど付着することがない。
【０１１８】
（実施形態１）
図１４（ａ）および（ｂ）は、本発明の第一の実施形態を説明する図であり、図１３（ａ）に示した、用紙サイズもしくはこの用紙に対するリブ配置の場合に生ずるミストの問題を解消する構成の二例を説明する図である。
【０１１９】
図１４（ａ）に示す例は、キャリッジ１８０４が走査方向に傾斜する傾斜部１８０４ａを有した形態に関し、この傾斜部を利用したものである。すなわち、キャリッジ１８０４は記録ヘッドから用紙１８０３の縁をはみ出してインクを吐出した後、傾斜部１８０４ａを利用して形成される斜め上方の開放部が所定の大きさになる位置で停止するよう、キャリッジ１８０４の減速開始タイミングを遅らせる。すなわち、キャリッジを停止させるための減速加速度は、縁なし記録以外の通常の記録の場合と同じで、減速開始タイミングを遅らせるという比較的簡易な制御によって、停止のための移動距離Ｓを延ばし斜め上方の開放部が所定の大きさになるようにする。これにより、上方が閉鎖された空間に浮遊していたミストＦは上記斜め上方の開放部を介して飛散することができるとともに、それ以外の方向にミストが飛散しにくくなる。この結果、上記空間を形成する左側のリブ１８０２ｂの先端に付着するミスト量を大幅に減少させることができる。
【０１２０】
なお、上記の開放部の所定の大きさは、例えば、実験などによって予めリブへのミストの付着が問題とならない量を知り、その付着量まで低減できる開放部の大きさとして求めることができる。つまり、その大きさ得るの必要なキャリッジの移動距離を知ることができる。また、減速開始タイミングは上例に限られるもではない。例えば、開放部の（部分的）形成をできるだけ速くするため、さらに減速開始タイミングを遅くし、これとともに、減速の加速度を通常の場合より大きくして停止位置、すなわち最終的な開放部の大きさが変らないようにしてもよい。この構成は、停止するまでの時間を短くするものでもあり、全体的な記録のスループットを向上させることも可能となる。
【０１２１】
また、開放部の形成に際して余分に移動する量は、キャリッジ１８０４の傾斜部１８０４ａの角度と相関することはもちろんである。その結果、例えば、上記角度が、記録ヘッドの吐出口の数やリブ間隔など装置の仕様との関係で適切に定められることにより、図１４（ａ）に示すように、上記開放部が図中上方から見てもキャリッジ１８０４に覆われて未だ見えない程度、つまり、上記空間の垂直上方が開放されない程度にキャリッジ１８０５を移動させれば済むようにすることもできる。これにより、移動距離Ｓを短くでき、一般的には記録のスループットを向上させることが可能となる。
【０１２２】
図１４（ｂ）は、キャリッジ１８０４の角が略直角形状の場合に関するものである。この場合は、上記空間の上方が開放されるまでキャリッジの減速開始のタイミングを遅らせる。より具体的には、同図に示すように上記空間を形成する左側のリブ１８０２ｂが現われるまでキャリッジ１８０４が余分に移動するよう、減速開始タイミングを遅らせる。減速開始タイミングの他の例として、図１４（ａ）で説明したさらに減速開始タイミングを遅らせる形態を同様に適用することもできる。
【０１２３】
なお、上記の図１４（ｂ）に関する説明では上記空間すべてを上方に開放するものとしたが、一部の開放であっても、それによりリブへのミストの付着が問題を生じない程度まで付着量を低下させることができれば、その大きさの開放部を実現するキャリッジの移動量としてもよいことはもちろんである。また、上例では、２つのキャリッジ形状の場合について説明したが、上例と異なる形状であっても、キャリッジが停止したときにリブ等により囲まれる空間の斜め上方または上方が開放するようにキャリッジの減速開始タイミングを遅らせることにより、同様の効果を得ることができる。
【０１２４】
図１５は、上述したキャリッジの移動制御を含む記録処理の制御手順を示すフローチャートである。具体的には、双方記録の各走査ごとに実行される処理である。
【０１２５】
ホスト装置からのデータの受信を待機しこれを受信すると、ステップＳ１５０１で、この受信したデータが記録モード設定コマンドであるかまたは記録データであるかを判断し、モード設定コマンドであるときは、ステップＳ１５０２にてそのモードデータを所定のメモリに記憶する。
【０１２６】
また、上記判断が記録データであるときは、ステップＳ１５０３において、そのサイズに基づき１スキャン（走査）分の左、右端位置を検出する。この左、右端位置は、記録データ（吐出データ）に基いて記録ヘッドからインク吐出を開始する位置とそのインク吐出を終了する位置である。次に、ステップＳ１５０４において、これから実行する走査の方向と走査（キャリッジ）速度のデータから加、減速距離を求め、上記で求めた左、右端位置を補正し、スキャン開始、終了位置を求める。
【０１２７】
次に、ステップＳ１５０５で、その走査がフォワード方向（図１４等において矢印Ａと逆の方向）の走査か否かを判断する。フォワード方向の走査でない場合、すなわち、図１４等において矢印Ａ方向の走査であるときは、ステップＳ１５０９へ移行して、直ちに走査を開始する。すなわち、図１３にて上述したように、本実施形態では、矢印Ａ方向の走査において用紙から抜ける際に縁をはみ出してインクを吐出する場合はミストの問題が生じないため、図１４で説明したキャリッジの移動制御をする必要がないからである。
【０１２８】
ステップＳ１５０５でフォワード方向の走査であると判断したときは、ステップＳ１５０６で縁なし記録モードか否かについて判断する。すなわち、本実施形態のプリンタは、縁なし記録モード以外に、通常の余白を設けて記録するモードも有しており、このような余白を設けるモードの場合は、図１４で説明したキャリッジの移動制御をする必要がないため、ステップＳ１５０９で直ちに記録のための走査を行う。このモードの場合、同じサイズの用紙で比較すると、以下で説明するキャリッジ移動制御を実行する場合に較べてキャリッジが用紙の一方の縁を越えて移動する量が短くなる。
【０１２９】
ステップＳ１５０６で縁なし記録モードであると判断したときは、ステップＳ１５０７において、キャリッジ１８０４の移動量を伸ばしてミストが発生する空間の斜め上方または上方を開放する制御を行なうか否かを判断する。すなわち、用いる用紙のサイズに対応した記録データサイズごとにオーバーラン規定停止位置が定められており、ステップＳ１５０３で検知したデータサイズに対応するオーバーラン規定停止位置より、ステップＳ１５０４で求めた走査終了位置である右端停止位置（図１３等において左側の停止位置）が小さいか否かを判断する。ここで、キャリッジ移動制御が必要なＬ判サイズの用紙１８０３ｃ（図１２（ａ）参照）に対応したデータサイズの場合は、そのオーバーラン規定停止位置はその右端停止位置より大きく設定されている。一方、キャリッジ移動制御が必要でない２Ｌ判や葉書サイズの用紙に対応するデータサイズの場合は、そのオーバーラン規定停止位置はその右端停止位置と等しい値に設定されている。
【０１３０】
これにより、用紙のサイズがＬ判であるデータサイズのときは、ステップＳ１５０８に移行し、ステップＳ１５０９の走査の最後の停止の前にキャリッジ移動制御を行なうべく、右端停止位置をオーバーラン規定停止位置が示す値に補正する。そして、ステップＳ１５０９で記録のための走査を行い、その最後の停止に際して、図１４（ａ）および（ｂ）にて説明したように、上記補正した右端停止位置に基づき減速開始タイミングを遅らせる等の制御を行なう。
【０１３１】
この制御によって、図１４（ａ）および（ｂ）で説明したように、縁をはみ出して吐出することにより発生したミストを斜め上方または上方に飛散させてリブに付着するミストの量を低下させ、またはほとんど付着しないようにすることができる。
【０１３２】
なお、プリンタが記録のためセットされている用紙紙サイズを検知できる場合は、上記のように記録データサイズを考慮することなく、より簡単な処理で本発明を適用した処理を実行できる。具体的には、受信データに紙サイズ情報が添付されているかあるいは紙サイズ検知センサより紙サイズ情報が得られるプリンタである場合、ステップＳ１５０１の段階でＬ判であるかないかという判別を行い、Ｌ判であると判別されるとステップＳ１５０５ヘ進み、ステップＳ１５０５およびＳ１５０６が共に肯定判断であるときは、判別のステップＳ１５０７を行わず記録を開始することができるするものである。
【０１３３】
（実施形態２）
本発明の第２の実施形態は、上記第１の実施形態では減速開始タイミングを、通常の記録の場合よりも遅らせたのに対し、減速開始タイミングを変えずに減速テーブルを変更して所望の位置に停止させるものである。すなわち、減速テーブルをより減速の加速度が小さいものとして、キャリッジの移動距離を延ばし、最終的に停止する位置を上記第１の実施形態と同じようにミストが発生する空間の斜め上方もしくは上方を開放するようにする。
【０１３４】
図１６は、本実施形態のキャリッジ移動制御を含む記録制御の手順を示すフローチャートであり、図１５に示した処理と略同様の処理である。
【０１３５】
異なる点は、ステップＳ１６０８の処理であり、キャリッジ移動制御を行なう場合に、設定されている右端停止位置に基づきキャリッジの減速を制御したときに、実際は、それより長いオーバーラン規定停止位置で停止するように減速テーブルを変更する点である。その他の処理は、同様であるのでそれらの説明は省略する。
【０１３６】
（実施形態３）
本実施形態は、異なる複数のサイズのインク滴を吐出できるプリンタに関し、吐出するインク滴のサイズに応じて、上記第１および第２の実施形態で説明したキャリッジの移動制御を実行するか否かを定めるものである。
【０１３７】
複数のサイズのインク滴を吐出する方法としては、例えば、記録ヘッドにおいてインク滴のサイズに応じた大きさの吐出口を設けたり、ピエゾ素子の変位を利用してインク滴を吐出させる記録ヘッドの場合であれば、インク滴サイズに応じてピエゾ素子に与える電気パルス波形を異ならせるものがある。
【０１３８】
前述したように、本発明者らの実験によれば吐出されるインク滴のサイズによって、発生するミストの量に差があることがわかっている。
【０１３９】
図１７（ａ）および（ｂ）は、この差について説明する図であり、記録ヘッドの吐出口からインク滴が吐出されるときを模式的に示している。これらの図において、１７０１は記録ヘッドを示し、１７０１ｎはこの記録ヘッドにおける１つの吐出口を示している。１７０２は、吐出口１７０１ｎに連通するインク路を示し、１７０３はこのインク路の底部に設けられるヒータを示している。すなわち、同図に示す記録ヘッドは、ヒータ１７０３が発生する熱エネルギーを利用してインク路１７０２内のインクに気泡を生じさせ、その気泡の圧力によって吐出口１７０１ｎからインクを吐出する方式のものである。そして、吐出口１７０１ｎの大きさ（直径）を異ならせることにより、異なる体積のインク滴を吐出するする。
【０１４０】
同図（ａ）に示すように、インク路１７０２では常にインクが供給されており、ヒータ１７０３に通電され表面のインクが膜沸騰を起こして気泡が生成されるのに伴い、ヒータ１７０３２対向する開口部である吐出口１７０１ｎからインクが飛び出し主インク滴１７０４を形成し始める。しかし、飛び出すインクは粘性があるため、インク路内に残るインクとの間に尾引き部分１７０５が形成される。この尾引き部の状態はインクの飛び出す速度やインク路の形状などにより変化することもわかっている。
【０１４１】
そして、同図（ｂ）に示すように、このように飛び出す瞬間形成された尾引き部は、その後インクの表面張力によりここに分離された微小なインク滴１７０６（サテライト）となる。これらは画像を形成する主インク滴１７０４と比較して非常にサイズが小さいものとなる。これら副次的に形成されるサイズの小さなインク滴は主インク滴と比べて運動エネルギーが小さいため、空気抵抗に打ち勝てず、主インク滴と同じ距離を飛翔することができないことが多い。
【０１４２】
本発明者らはインク吐出速度が１５ｍ／ｓ程度において、主インク滴が３．２ｐｌ程度までは本発明を適用したほうがよく、主インク滴が４．６ｐｌ以上である場合は本発明を適用せずともよいということを確認した。
【０１４３】
その理由としては、前述したように主インク滴が約２ｐｌのサイズのもである場合は、そのサテライトは、本実施形態の記録ヘッドおける吐出口面から紙面までの距離１．４ｍｍは飛翔できても、はみ出して吐出する部分におけるインク吸収体までの距離４．４ｍｍは到達できないものが非常に多く、約４ｐｌ以上の主インク滴の場合には、サテライトとして上記のような空気抵抗に簡単に負けてしまう微小なものは主インク滴が約２ｐｌのサイズほど多くなく、ミストの問題は生じにくいと考えられる。
【０１４４】
従って本発明の第三の実施形態としては、複数のサイズのインク滴を吐出できる記録ヘッドを用い、体積の異なるインクのうち、一つのサイズのインク滴のみを吐出して記録を行なうモード、あるいは、ある走査でみたときに一つのサイズのインク滴のみを吐出して記録を行なうモードを有したプリンタの場合、記録時に設定されている主インク滴のサイズに応じて、実施形態１および２にて説明した本発明のキャリッジ移動制御を実施するか否かを判断する。
【０１４５】
具体的には、図１５または図１６に示したステップＳ１５０６またはＳ１６０６の次の処理として上記の判断を行なうようにする。そして、その判断がキャリッジ移動制御を行なう旨のものであるときは、それぞれステップＳ１５０８またはＳ１６０８で上述した処理を行なう。
【０１４６】
なお、縁なし記録を行なう場合は、同じ記録媒体のサイズについて、縁なし記録以外の縁に余白がある記録を行なうときに較べて、本発明を適用しない場合でも記録ヘッドの走査に伴う移動距離が長くなる、すなわち、上述のように、インク滴の体積に応じて、本発明を適用しないキャリジ移動を行なっても、上記余白がある記録の場合より移動距離は長くなる。そして、本発明を適用したキャリッジ制御を行なうと、この第１の長い距離よりさらに長い第２の距離の移動制御を行なうことになる。
【０１４７】
以上本実施形態によれば、本発明のキャリッジ移動制御を適用しなくていよい主インク滴サイズを用いて縁無し記録を行う場合には不必要に記録時間が多くなることはく、本発明のキャリッジ移動制御を適用する必要がある主インク滴サイズであれば、上記制御を適用し、若干記録時間は長くなるが、用紙裏面の汚れの転写などの問題を避けることができる。
【０１４８】
また、この判断の閾値となるインク滴サイズは空気抵抗によるインク滴の失速によるところが大きく、本発明者らが実験に用いたインク吐出速度が１５ｍ／ｓ程度の場合であれば、前述の３．２ｐｌと４．６ｐｌの間をとり４．０ｐｌ程度にすればよいと考えられる。
【０１４９】
しかし、よりインク吐出速度が早い場合には、閾値を下げることが可能となり、より遅い場合には閾値を上げる必要が発生する。これらの場合は、プリンタの設計段階で該プリンタにおけるインク吐出速度に応じてあらかじめ閾値を設定してやればよい。
【０１５０】
また、このようにサテライトが発生しないような吐出ができた場合でも主インク滴の吐出速度とサイズによっては、縁なし部において主インク滴自身が吸収体にまで到達しない場合も発生し得る。このような条件下でも本発明を適用することは有効となる。
【０１５１】
（他の実施形態）
本発明は上述のように、複数の機器（たとえばホストコンピュータ、インタフェース機器、リーダ、プリンタ等）から構成されるシステムに適用しても一つの機器（たとえば複写機、ファクシミリ装置）からなる装置に適用してもよい。
【０１５２】
また、前述した実施形態の機能を実現するように各種のデバイスを動作させるように該各種デバイスと接続された装置あるいはシステム内のコンピュータに、前記実施形態機能を実現するための図１５、図１６に示したソフトウェアなどのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【０１５３】
またこの場合、前記ソフトウェアのプログラムコード自体が前述した実施形態の機能を実現することになり、そのプログラムコード自体、およびそのプログラムコードをコンピュータに供給するための手段、例えばかかるプログラムコードを格納した記憶媒体は本発明を構成する。
【０１５４】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【０１５５】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【０１５６】
さらに供給されたプログラムコードが、コンピュータの機能拡張ボードやコンピュータに接続された機能拡張ユニットに備わるメモリに格納された後そのプログラムコードの指示に基づいてその機能拡張ボードや機能拡張ユニットに備わるＣＰＵ等が実際の処理の一部または全部を行い、その処理によって前述した実施形態の機能が実現される場合も本発明に含まれることは言うまでもない。
【０１５７】
【発明の効果】
以上説明したように本発明によれば、縁なし記録に際して、記録ヘッドが記録媒体の縁をはみ出してインクを吐出するとき、記録ヘッドの走査において、記録媒体を支持する、例えばプラテンリブなどの支持部材のうち、記録に用いられる記録媒体を支持する支持部材と、この支持部材に隣接し記録媒体を支持しない支持部材と、前記記録ヘッドの走査に伴って記録媒体上方を移動する、例えばキャリッジなどの部材とによって形成される空間が、さらなる走査によってその空間より上の部分を介して開放されるので、上記のはみ出したインク吐出によって上記空間内にミストが発生しても、そのミストは上記開放された部分を介してその空間の上方に導かれる。その結果、発生したミストが、上記空間を形成するリブなどの支持部材に付着する量を低減し、または、略付着することを防止でき、その支持部材がその後に支持する別の記録媒体にミストが転写されてこれを汚すことを防ぐことができる。
【０１５８】
また、例えば、同じ用紙サイズに対して、異なるインク滴のサイズに応じて縁なし記録を行なうときは、縁なし記録以外の、記録媒体の縁に続く領域を記録しないで当該領域を余白とする記録を行なうときより、記録ヘッドの走査に伴う移動距離が長い第１の距離と該第１の距離より長い第２の距離を含む移動制御を行なうので、縁なし記録を行うときは、上記のより確実な開放を行うべく、例えば第１の距離が開放が必要ない場合であっても第２の距離によって確実な上記開放を行うことができ、上記の付着ミスト量低減の作用を得ることができる。
【図面の簡単な説明】
【図１】本発明の一実施例によるインクジェットプリンタの外観構成を示す斜視図である。
【図２】図１に示すプリンタの外装部材を取り外した状態を示す斜視図である。
【図３】本発明の一実施例によるプリンタに用いる記録ヘッドカートリッジを組立てた状態を示す斜視図である。
【図４】図３に示す記録ヘッドカートリッジを示す分解斜視図である。
【図５】図４に示した記録ヘッドを斜め下方から観た分解斜視図である。
【図６】（ａ）および（ｂ）は、図３の記録ヘッドカートリッジに代えて本発明の一実施例によるプリンタに搭載可能なスキャナカートリッジの構成を示すために、そのスキャナカートリッジを天地逆にして示す斜視図である。
【図７】本発明の一実施例のプリンタにおける電気的回路の全体構成を概略的に示すブロック図である。
【図８】図７に示した電気回路のうちメインＰＣＢの内部構成例を示すブロック図である。
【図９】図８に示したメインＰＣＢのうちＡＳＩＣの内部構成例を示すブロック図である。
【図１０】上記実施形態のインクジェットプリンタの動作を示すフローチャートである。
【図１１】本発明の一実施形態に係るインクジェットプリンタを、その用紙の搬送方向に対してその横方向から見た断面図である。
【図１２】（ａ）および（ｂ）は、図１１にに示したプリンタにおけるプラテン、その上に設けられたリブおよびプラテン内に設けられたインク吸収体を示し、（ｂ）はその上面図、（ａ）は（ｂ）におけるＢ−Ｂ線断面図である。
【図１３】（ａ）および（ｂ）は、図１１、図１２に示した構成においてリブ等の配置に応じて、前述したミストの付着が顕著となり前述した問題を生じる場合と、付着の程度が軽いかもしくはほとんど付着がなく問題を生じない場合とを説明する図である。
【図１４】（ａ）および（ｂ）は、本発明の第一の実施形態を説明する図であり、図１３（ａ）に示した、用紙サイズもしくはこの用紙に対するリブ配置の場合に生ずるミストの問題を解消する構成の二例を説明する図である。
【図１５】本発明の一実施形態に係わるキャリッジの移動制御を含む記録処理の制御手順を示すフローチャートである。
【図１６】本発明の他の実施形態に係わるキャリッジ移動制御を含む記録制御の手順を示すフローチャートである。
【図１７】図１７（ａ）および（ｂ）は、発生するミストの量の差について説明する図である。
【図１８】従来の縁なし記録を説明する図である。
【符号の説明】
Ｍ１０００　装置本体
Ｍ１００１　下ケース
Ｍ１００２　上ケース
Ｍ１００３　アクセスカバー
Ｍ１００４　排出トレイ
Ｍ２０１５　紙間調整レバー
Ｍ２００３　排紙ローラ
Ｍ３００１　ＬＦローラ
Ｍ３０１９　シャーシ
Ｍ３０２２　自動給送部
Ｍ３０２９　搬送部
Ｍ３０３０　排出部
Ｍ４０００　記録部
Ｍ４００１　キャリッジ
Ｍ４００２　キャリッジカバー
Ｍ４００７　ヘッドセットレバー
Ｍ４０２１　キャリッジ軸
Ｍ５０００　回復系ユニット
Ｍ６０００　スキャナ
Ｍ６００１　スキャナホルダ
Ｍ６００３　スキャナカバー
Ｍ６００４　スキャナコンタクトＰＣＢ
Ｍ６００５　スキャナ照明レンズ
Ｍ６００６　スキャナ読取レンズ１
Ｅ０００１　キャリッジモータ
Ｅ０００２　ＬＦモータ
Ｅ０００３　ＰＧモータ
Ｅ０００４　エンコーダセンサ
Ｅ０００５　エンコーダスケール
Ｅ０００６　インクエンドセンサ
Ｅ０００７　ＰＥセンサ
Ｅ０００８　ＧＡＰセンサ（紙間センサ）
Ｅ０００９　ＡＳＦセンサ
Ｅ００１０　ＰＧセンサ
Ｅ００１１　コンタクトＦＰＣ（フレキシブルプリントケーブル）
Ｅ００１２　ＣＲＦＦＣ（フレキシブルフラットケーブル）
Ｅ００１３　キャリッジ基板
Ｅ００１４　メイン基板
Ｅ００１５　電源ユニット
Ｅ００１６　パラレルＩ／Ｆ
Ｅ００１７　シリアルＩ／Ｆ
Ｅ００１８　電源キー
Ｅ００１９　リジュームキー
Ｅ００２０　ＬＥＤ
Ｅ００２１　ブザー
Ｅ００２２　カバーセンサ
Ｅ１００１　ＣＰＵ
Ｅ１００２　ＯＳＣ（ＣＰＵ内蔵オシレータ）
Ｅ１００３　Ａ／Ｄ（ＣＰＵ内蔵Ａ／Ｄコンバータ）
Ｅ１００４　ＲＯＭ
Ｅ１００５　発振回路
Ｅ１００６　ＡＳＩＣ
Ｅ１００７　リセット回路
Ｅ１００８　ＣＲモータドライバ
Ｅ１００９　ＬＦ／ＰＧモータドライバ
Ｅ１０１０　電源制御回路
Ｅ１０１１　ＩＮＫＳ（インクエンド検出信号）
Ｅ１０１２　ＴＨ（サーミスタ温度検出信号）
Ｅ１０１３　ＨＳＥＮＳ（ヘッド検出信号）
Ｅ１０１４　制御バス
Ｅ１０１５　ＲＥＳＥＴ（リセット信号）
Ｅ１０１６　ＲＥＳＵＭＥ（リジュームキー入力）
Ｅ１０１７　ＰＯＷＥＲ（電源キー入力）
Ｅ１０１８　ＢＵＺ（ブザー信号）
Ｅ１０１９　発振回路出力信号
Ｅ１０２０　ＥＮＣ（エンコーダ信号）
Ｅ１０２１　ヘッド制御信号
Ｅ１０２２　ＶＨＯＮ（ヘッド電源ＯＮ信号）
Ｅ１０２３　ＶＭＯＮ（モータ電源ＯＮ信号）
Ｅ１０２４　電源制御信号
Ｅ１０２５　ＰＥＳ（ＰＥ検出信号）
Ｅ１０２６　ＡＳＦＳ（ＡＳＦ検出信号）
Ｅ１０２７　ＧＡＰＳ（ＧＡＰ検出信号）
Ｅ００２８　シリアルＩ／Ｆ信号
Ｅ１０２９　シリアルＩ／Ｆケーブル
Ｅ１０３０　パラレルＩ／Ｆ信号
Ｅ１０３１　パラレルＩ／Ｆケーブル
Ｅ１０３２　ＰＧＳ（ＰＧ検出信号）
Ｅ１０３３　ＰＭ制御信号（パルスモータ制御信号）
Ｅ１０３４　ＰＧモータ駆動信号
Ｅ１０３５　ＬＦモータ駆動信号
Ｅ１０３６　ＣＲモータ制御信号
Ｅ１０３７　ＣＲモータ駆動信号
Ｅ００３８　ＬＥＤ駆動信号
Ｅ１０３９　ＶＨ（ヘッド電源）
Ｅ１０４０　ＶＭ（モータ電源）
Ｅ１０４１　ＶＤＤ（ロジック電源）
Ｅ１０４２　ＣＯＶＳ（カバー検出信号）
Ｅ２００１　ＣＰＵ　Ｉ／Ｆ
Ｅ２００２　ＰＬＬ
Ｅ２００３　ＤＭＡ制御部
Ｅ２００４　ＤＲＡＭ制御部
Ｅ２００５　ＤＲＡＭ
Ｅ２００６　１２８４　Ｉ／Ｆ
Ｅ２００７　ＵＳＢ　Ｉ／Ｆ
Ｅ２００８　受信制御部
Ｅ２００９　圧縮・伸長ＤＭＡ
Ｅ２０１０　受信バッファ
Ｅ２０１１　ワークバッファ
Ｅ２０１２　ワークエリアＤＭＡ
Ｅ２０１３　記録バッファ転送ＤＭＡ
Ｅ２０１４　プリントバッファ
Ｅ２０１５　記録データ展開ＤＭＡ
Ｅ２０１６　展開用データバッファ
Ｅ２０１７　カラムバッファ
Ｅ２０１８　ヘッド制御部
Ｅ２０１９　エンコーダ信号処理部
Ｅ２０２０　ＣＲモータ制御部
Ｅ２０２１　ＬＦ／ＰＧモータ制御部
Ｅ２０２２　センサ信号処理部
Ｅ２０２３　モータ制御バッファ
Ｅ２０２４　スキャナ取込みバッファ
Ｅ２０２５　スキャナデータ処理ＤＭＡ
Ｅ２０２６　スキャナデータバッファ
Ｅ２０２７　スキャナデータ圧縮ＤＭＡ
Ｅ２０２８　送出バッファ
Ｅ２０２９　ポート制御部
Ｅ２０３０　ＬＥＤ制御部
Ｅ２０３１　ＣＬＫ（クロック信号）
Ｅ２０３２　ＰＤＷＭ（ソフト制御信号）
Ｅ２０３３　ＰＬＬＯＮ（ＰＬＬ制御信号）
Ｅ２０３４　ＩＮＴ（割り込み信号）
Ｅ２０３６　ＰＩＦ受信データ
Ｅ２０３７　ＵＳＢ受信データ
Ｅ２０３８　ＷＤＩＦ（受信データ／ラスタデータ）
Ｅ２０３９　受信バッファ制御部
Ｅ２０４０　ＲＤＷＫ（受信バッファ読み出しデータ／ラスタデータ）
Ｅ２０４１　ＷＤＷＫ（ワークバッファ書込みデータ／記録コード）
Ｅ２０４２　ＷＤＷＦ（ワークフィルデータ）
Ｅ２０４３　ＲＤＷＰ（ワークバッファ読み出しデータ／記録コード）
Ｅ２０４４　ＷＤＷＰ（並べ替え記録コード）
Ｅ２０４５　ＲＤＨＤＧ（記録展開用データ）
Ｅ２０４７　ＷＤＨＤＧ（カラムバッファ書込みデータ／展開記録データ）
Ｅ２０４８　ＲＤＨＤ（カラムバッファ読み出しデータ／展開記録データ）
Ｅ２０４９　ヘッド駆動タイミング信号
Ｅ２０５０　データ展開タイミング信号
Ｅ２０５１　ＲＤＰＭ（パルスモータ駆動テーブル読み出しデータ）
Ｅ２０５２　センサ検出信号
Ｅ２０５３　ＷＤＨＤ（取込みデータ）
Ｅ２０５４　ＲＤＡＶ（取込みバッファ読み出しデータ）
Ｅ２０５５　ＷＤＡＶ（データバッファ書込みデータ／処理済データ）
Ｅ２０５６　ＲＤＹＣ（データバッファ読み出しデータ／処理済データ）
Ｅ２０５７　ＷＤＹＣ（送出バッファ書込みデータ／圧縮データ）
Ｅ２０５８　ＲＤＵＳＢ（ＵＳＢ送信データ／圧縮データ）
Ｅ２０５９　ＲＤＰＩＦ（１２８４送信データ）
Ｈ１０００　記録ヘッドカートリッジ
Ｈ１００１　記録ヘッド
Ｈ１１００　記録素子基板
Ｈ１１００Ｔ　吐出口
Ｈ１２００　第１のプレート
Ｈ１２０１　インク供給口
Ｈ１３００　電気配線基板
Ｈ１３０１　外部信号入力端子
Ｈ１４００　第２のプレート
Ｈ１５００　タンクホルダー
Ｈ１５０１　インク流路
Ｈ１６００　流路形成部材
Ｈ１７００　フィルター
Ｈ１８００　シールゴム
Ｈ１９００　インクタンク
Ｈ１６００ｄ　連通路
１８０２ａ　　高さａのリブ
１８０２ｂ　　高さｂのいリブ
１８０３　　用紙（記録媒体）
１８０３ａ　　２Ｌ判サイズの用紙
１８０３ｂ　　葉書サイズの用紙
１８０３ｃ　　Ｌ判サイズの用紙
１８０１　　プラテン
１８０４　　キャリッジ
１８０５　　記録ヘッド
１８０６　　吐出口列
１８０９　　インク吸収体
【図１】
2004090463.tif 000003
【図２】
2004090463.tif 000004
【図３】
2004090463.tif 000005
【図４】
2004090463.tif 000006
【図５】
2004090463.tif 000007
【図６】
2004090463.tif 000008
【図７】
2004090463.tif 000009
【図８】
2004090463.tif 000010
【図９】
2004090463.tif 000011
【図１０】
2004090463.tif 000012
【図１１】
2004090463.tif 000013
【図１２】
2004090463.tif 000014
【図１３】
2004090463.tif 000015
【図１４】
2004090463.tif 000016
【図１５】
2004090463.tif 000017
【図１６】
2004090463.tif 000018
【図１７】
2004090463.tif 000019
【図１８】
2004090463.tif 000020